(57)【要約】【課題】非接触ＩＣリーダーライターからの電磁波のみを電力として無線通信動作することが可能な非接触ＩＣによる無線通信動作の有効／無効を制御する技術を提供する。【解決手段】アンテナを介して他の無線通信装置と無線通信を行う通信手段と、前記アンテナを介して前記他の無線通信装置から受信した電磁波を前記無線通信のための電力として前記通信手段に供給する電力供給手段と、を含む非接触ＩＣと、前記電磁波の受信に応えて、前記電力供給手段による前記通信手段への電力の供給を無効化する無効化手段と、前記無効化手段の前記無効化の動作を停止する制御手段と、を備えることを特徴とする無線通信装置を提供する。【選択図】図１
2015173538.tif 000002
【特許請求の範囲】
【請求項１】
アンテナを介して他の無線通信装置と無線通信を行う通信手段と、前記アンテナを介して前記他の無線通信装置から受信した電磁波を前記無線通信のための電力として前記通信手段に供給する電力供給手段と、を含む非接触ＩＣと、
前記電磁波の受信に応えて、前記電力供給手段による前記通信手段への電力の供給を無効化する無効化手段と、
前記無効化手段の前記無効化の動作を停止する制御手段と、
を備えることを特徴とする無線通信装置。
【請求項２】
前記非接触ＩＣは、前記電磁波の受信に応えて信号を出力する信号出力端子を含み、
前記無効化手段は、
入力端子を有し、当該入力端子に前記信号が入力されるとＯＮになる第１スイッチと、
前記信号出力端子を前記第１スイッチの入力端子に接続すると共に、前記第１スイッチがＯＮになった場合に前記アンテナをグラウンドに短絡する回路と、
を含む
ことを特徴とする請求項１に記載の無線通信装置。
【請求項３】
前記無効化手段は、
入力端子を有し、前記アンテナを介して前記他の無線通信装置から受信した電磁波が当該入力端子に入力されるとＯＮになる第１スイッチと、
前記アンテナを前記第１スイッチの入力端子に接続すると共に、前記第１スイッチがＯＮになった場合に前記アンテナをグラウンドに短絡する回路と、
を含む
ことを特徴とする請求項１に記載の無線通信装置。
【請求項４】
前記非接触ＩＣは、前記電力供給手段が生成した電力を出力する電力出力端子を含み、
前記無効化手段は、
入力端子を有し、当該入力端子に前記電力が入力されるとＯＮになる第１スイッチと、
前記電力出力端子を前記第１スイッチの入力端子に接続すると共に、前記第１スイッチがＯＮになった場合に前記アンテナをグラウンドに短絡する回路と、
を含む
ことを特徴とする請求項１に記載の無線通信装置。
【請求項５】
前記非接触ＩＣは、前記電力供給手段が生成した電力を出力する電力出力端子を含み、
前記無効化手段は、
入力端子を有し、前記アンテナを介して前記他の無線通信装置から受信した電磁波が当該入力端子に入力されるとＯＮになる第１スイッチと、
前記アンテナを前記第１スイッチの入力端子に接続すると共に、前記第１スイッチがＯＮになった場合に前記電力出力端子をグラウンドに短絡する回路と、
を含む
ことを特徴とする請求項１に記載の無線通信装置。
【請求項６】
前記制御手段は、
制御信号を出力する制御出力端子を有するＣＰＵと、
入力端子を有し、当該入力端子に前記制御信号が入力されるとＯＮになる第２スイッチと、
前記制御出力端子を前記第２スイッチの入力端子に接続すると共に、前記第２スイッチがＯＮになった場合に前記第１スイッチの入力端子をグラウンドに短絡する回路と、
を含む
ことを特徴とする請求項２乃至５のいずれか１項に記載の無線通信装置。
【請求項７】
前記ＣＰＵは、処理負荷が閾値以上の場合、前記制御出力端子から前記制御信号を出力しない
ことを特徴とする請求項６に記載の無線通信装置。
【請求項８】
前記制御手段は、
第１制御信号を出力する第１制御出力端子、及び第２制御信号を出力する第２制御出力端子を有するＣＰＵと、
入力端子を有し、当該入力端子に前記第１制御信号が入力されるとＯＮになる第２スイッチと、
前記第２制御信号の指示に従って内部状態を切り替え、当該内部状態に従って信号の出力状態を切り替える状態保持回路と、
入力端子を有し、当該入力端子に前記状態保持回路からの信号が入力されるとＯＮになる第３スイッチと、
前記状態保持回路からの信号を前記第３スイッチの入力端子に接続すると共に、前記第３スイッチがＯＮになった場合に前記第１スイッチの入力端子をグラウンドに短絡する回路と、
前記第１制御出力端子を前記第２スイッチの入力端子に接続すると共に、前記第２スイッチがＯＮになった場合に前記第３スイッチの入力端子をグラウンドに短絡する回路と、
を含む
ことを特徴とする請求項２乃至５のいずれか１項に記載の無線通信装置。
【請求項９】
前記ＣＰＵは、処理負荷が閾値以上の場合、前記第１制御出力端子から前記第１制御信号を出力する
ことを特徴とする請求項８に記載の無線通信装置。
【請求項１０】
前記制御手段は、
制御信号を出力する制御出力端子を有するＣＰＵと、
前記ＣＰＵに電力を供給する電池と、
前記制御信号の指示に従って内部状態を切り替え、当該内部状態に従って信号の出力状態を切り替える状態保持回路と、
を含み、
前記状態保持回路は、前記ＣＰＵに対して前記電池から電力が供給されていない場合でも前記内部状態に従って信号を出力するように構成され、
前記制御手段は、前記ＣＰＵに対して前記電池から電力が供給されていない場合、前記状態保持回路の信号の出力状態に応じて前記無効化手段の前記無効化の動作を停止するか否かを切り替える
ことを特徴とする請求項１乃至５のいずれか１項に記載の無線通信装置。
【請求項１１】
前記制御手段は、
電池と、
制御信号を出力する制御出力端子を有するＣＰＵと、
入力端子を有し、当該入力端子に前記制御信号が入力されるとＯＮになる第２スイッチと、
入力端子を有し、当該入力端子に前記制御信号が入力されるとＯＮになる第４スイッチと、
前記電池の電圧が閾値以上の場合に信号を出力する電圧検出回路と、
入力端子を有し、当該入力端子に前記電圧検出回路からの信号が入力されるとＯＮになる第３スイッチと、
前記電圧検出回路からの信号を前記第３スイッチの入力端子に接続すると共に、前記第３スイッチがＯＮになった場合に前記第１スイッチの入力端子をグラウンドに短絡する回路と、
前記第２スイッチの入力端子と前記第４スイッチの入力端子とで信号の入力状態が反転するように、前記制御出力端子を前記第２スイッチの入力端子及び前記第４スイッチの入力端子に接続すると共に、前記第２スイッチがＯＮになった場合に前記第３スイッチの入力端子をグラウンドに短絡し、前記第４スイッチがＯＮになった場合に前記第１スイッチの入力端子をグラウンドに短絡する回路と、
を含む
ことを特徴とする請求項２乃至５のいずれか１項に記載の無線通信装置。
【請求項１２】
前記ＣＰＵは、処理負荷が閾値以上の場合、前記第２スイッチがＯＮになり前記第４スイッチがＯＦＦになるように前記制御信号の出力状態を制御する
ことを特徴とする請求項１１に記載の無線通信装置。
【請求項１３】
前記制御手段は、
電池と、
制御信号を出力する制御出力端子を有するＣＰＵと、
前記電池の電圧が閾値以上の場合に信号を出力する電圧検出回路と、
入力端子を有し、当該入力端子に前記制御信号又は電圧検出回路からの信号が入力されるとＯＮになる第３スイッチと、
前記制御信号及び前記電圧検出回路からの信号を前記第３スイッチの入力端子に接続すると共に、前記第３スイッチがＯＮになった場合に前記第１スイッチの入力端子をグラウンドに短絡する回路と、
を含む
ことを特徴とする請求項２乃至５のいずれか１項に記載の無線通信装置。
【請求項１４】
前記ＣＰＵは、処理負荷が閾値以上の場合、前記制御出力端子から前記制御信号を出力しない
ことを特徴とする請求項１３に記載の無線通信装置。
【請求項１５】
前記制御手段は、
ＣＰＵと、
前記ＣＰＵに電力を供給する電池と、
前記電池の電圧が閾値以上の場合に信号を出力する電圧検出回路と、
を含み、
前記電圧検出回路は、前記ＣＰＵに対して前記電池から電力が供給されていない場合でも前記電池の電圧が前記閾値以上であれば信号を出力するように構成され、
前記制御手段は、前記ＣＰＵに対して前記電池から電力が供給されていない場合、前記電圧検出回路の信号の出力状態に応じて前記無効化手段の前記無効化の動作を停止するか否かを切り替える
ことを特徴とする請求項１乃至５のいずれか１項に記載の無線通信装置。
【請求項１６】
請求項１乃至１５のいずれか１項に記載の無線通信装置を備える撮像装置。
【発明の詳細な説明】
【技術分野】
【０００１】
本発明は、無線通信装置、及び撮像装置に関する。
【背景技術】
【０００２】
近年、非接触ＩＣリーダーライター機能を搭載した無線通信装置が普及しており、このような無線通信装置は、非接触ＩＣを搭載した他の無線通信装置との間で非接触ＩＣを用いた無線通信を行うことができる。また、非接触ＩＣを用いた無線通信により、他の種類の無線通信（例えば、ＷｉＦｉ）のためのペアリング情報を交換したり、無線通信装置の動作を制御したりする使い方が一般化している。
【０００３】
非接触ＩＣは、内部メモリにデータを格納することができ、非接触ＩＣリーダーライターからの通信に応じてメモリ内のデータを返す読み取り動作、及び非接触ＩＣリーダーライターからの通信によってメモリにデータを記憶する書き込み動作が可能である。
【０００４】
非接触ＩＣは、非接触ＩＣリーダーライターからの電磁波のみを電力として無線通信動作することが可能であり、その他の電源供給が無くても使用可能である。よって、非接触ＩＣを搭載した無線通信装置の電源がＯＦＦの状態であっても、また、無線通信装置の動作状態に関わらず、非接触ＩＣリーダーライターから非接触ＩＣに対して読み取り動作又は書き込み動作が可能である。
【０００５】
無線通信装置の動作状態に関わらず応答が可能なことは、非接触ＩＣの利点であると共に、欠点でもある。例えば、ユーザが非接触ＩＣを用いた無線通信を望まない場合でも、ユーザの意思に反して無線通信が行われてしまうという問題がある。また、例えば、非接触ＩＣを用いた無線通信をトリガとしてペアリング情報を交換してＷｉＦｉ通信を開始するシナリオにおいて、ＷｉＦｉ通信を行うための電池容量が不足していている場合にも問題が生じる可能性がある。このような場合、トリガとなる非接触ＩＣを用いた無線通信は正常に行われたにも関わらず、その後のＷｉＦｉ通信が開始せず、ユーザが混乱する可能性がある。
【０００６】
特許文献１は、ユーザが非接触ＩＣモジュールを使用しない状況にあると考えられる場合に、非接触ＩＣ機能を使用できない状態にする携帯端末装置を提案している。この携帯端末装置は、携帯端末装置本体の傾きが所定以上傾いているときはユーザが非接触ＩＣモジュールを使用しない状況にあると判断して、非接触ＩＣモジュールへの電源供給を停止することにより、非接触ＩＣ機能を使用できない状態にする。
【先行技術文献】
【特許文献】
【０００７】
【特許文献１】特開２００８−９２３０４号公報
【発明の概要】
【発明が解決しようとする課題】
【０００８】
特許文献１は、非接触ＩＣリーダーライターからの電磁波とは別に電源供給を必要とする非接触ＩＣモジュールを対象としたものであり、この電源供給を停止することにより非接触ＩＣ機能を使用できない状態にする。従って、特許文献１の技術は、非接触ＩＣリーダーライターからの電磁波のみを電力として無線通信動作することが可能な非接触ＩＣに対しては適用することができない。
【０００９】
本発明はこのような状況に鑑みてなされたものであり、非接触ＩＣリーダーライターからの電磁波のみを電力として無線通信動作することが可能な非接触ＩＣによる無線通信動作の有効／無効を制御する技術を提供することを目的とする。
【課題を解決するための手段】
【００１０】
上記課題を解決するために、本発明は、アンテナを介して他の無線通信装置と無線通信を行う通信手段と、前記アンテナを介して前記他の無線通信装置から受信した電磁波を前記無線通信のための電力として前記通信手段に供給する電力供給手段と、を含む非接触ＩＣと、前記電磁波の受信に応えて、前記電力供給手段による前記通信手段への電力の供給を無効化する無効化手段と、前記無効化手段の前記無効化の動作を停止する制御手段と、を備えることを特徴とする無線通信装置を提供する。
【００１１】
なお、その他の本発明の特徴は、添付図面及び以下の発明を実施するための形態における記載によって更に明らかになるものである。
【発明の効果】
【００１２】
本発明によれば、非接触ＩＣリーダーライターからの電磁波のみを電力として無線通信動作することが可能な非接触ＩＣによる無線通信動作の有効／無効を制御することが可能となる。
【図面の簡単な説明】
【００１３】
【図１】第１の実施形態に係る無線通信装置１０１の非接触ＩＣ１０２の周辺回路の構成例１を示すブロック図。
【図２】第１の実施形態に係る無線通信装置１０１の非接触ＩＣ１０２の周辺回路の状態と非接触ＩＣ１０２の無線通信動作に関する真理値表。
【図３】第１の実施形態に係る無線通信装置１０１の非接触ＩＣ１０２の制御手順を示すフローチャート。
【図４】第１の実施形態に係る無線通信装置１０１の非接触ＩＣ１０２の動作設定メニューの例を示す図。
【図５】第１の実施形態に係る無線通信装置５０１の非接触ＩＣ５０２の周辺回路の構成例２を示すブロック図。
【図６】第１の実施形態に係る無線通信装置６０１の非接触ＩＣ６０２の周辺回路の構成例３を示すブロック図。
【図７】第１の実施形態に係る無線通信装置７０１の非接触ＩＣ６０２の周辺回路の構成例４を示すブロック図。
【図８】第２の実施形態に係る無線通信装置８０１の非接触ＩＣ１０２の周辺回路の構成例１を示すブロック図。
【図９】第２の実施形態に係る無線通信装置８０１の非接触ＩＣ１０２の周辺回路の状態と非接触ＩＣ１０２の無線通信動作に関する真理値表。
【図１０】第２の実施形態に係る無線通信装置８０１の非接触ＩＣ１０２の制御手順を示すフローチャート。
【図１１】第２の実施形態に係る無線通信装置１１０１の非接触ＩＣ５０２の周辺回路の構成例２を示すブロック図。
【図１２】第２の実施形態に係る無線通信装置１２０１の非接触ＩＣ６０２の周辺回路の構成例３を示すブロック図。
【図１３】第２の実施形態に係る無線通信装置１３０１の非接触ＩＣ６０２の周辺回路の構成例４を示すブロック図。
【図１４】第３の実施形態に係る無線通信装置１４０１の非接触ＩＣ１０２の周辺回路の構成例１を示すブロック図。
【図１５】第３の実施形態に係る無線通信装置１４０１の非接触ＩＣ１０２の周辺回路の状態と非接触ＩＣ１０２の無線通信動作に関する真理値表。
【図１６】第３の実施形態に係る無線通信装置１４０１の非接触ＩＣ１０２の制御手順を示すフローチャート。
【図１７】第３の実施形態に係る無線通信装置１７０１の非接触ＩＣ５０２の周辺回路の構成例２を示すブロック図。
【図１８】第３の実施形態に係る無線通信装置１８０１の非接触ＩＣ６０２の周辺回路の構成例３を示すブロック図。
【図１９】第３の実施形態に係る無線通信装置１９０１の非接触ＩＣ６０２の周辺回路の構成例４を示すブロック図。
【図２０】第４の実施形態に係る無線通信装置２００１の非接触ＩＣ１０２の周辺回路の構成例１を示すブロック図。
【図２１】第４の実施形態に係る無線通信装置２００１の非接触ＩＣ１０２の周辺回路の状態と非接触ＩＣ１０２の無線通信動作に関する真理値表。
【図２２】第４の実施形態に係る無線通信装置２００１の非接触ＩＣ１０２の制御手順を示すフローチャート。
【図２３】第４の実施形態に係る無線通信装置２３０１の非接触ＩＣ５０２の周辺回路の構成例２を示すブロック図。
【図２４】第４の実施形態に係る無線通信装置２４０１の非接触ＩＣ６０２の周辺回路の構成例３を示すブロック図。
【図２５】第４の実施形態に係る無線通信装置２５０１の非接触ＩＣ６０２の周辺回路の構成例４を示すブロック図。
【図２６】非接触ＩＣリーダーライターを搭載した無線通信装置１５１の構成を示すブロック図。
【発明を実施するための形態】
【００１４】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１５】
また、以下の各実施形態において例示する構成部品の寸法、形状、それらの相対配置などは、本発明が適用される装置の構成や各種条件により適宜変更されるべきものであり、本発明がそれらの例示に限定されるものではない。
【００１６】
［第１の実施形態］
第１の実施形態では、非接触ＩＣを搭載した無線通信装置において非接触ＩＣの無線通信機能の使用可否を切り替える回路及び制御方法を説明する。ここでは、非接触ＩＣの機能に応じた４つの回路構成例（構成例１から４）を順に説明する。第１の実施形態では、非接触ＩＣの無線通信は国際標準規格であるＩＳＯ／ＩＥＣ２１４８１に対応しているものとする。
【００１７】
●第１の実施形態の構成例１
図１は、第１の実施形態に係る無線通信装置１０１の非接触ＩＣ１０２の周辺回路の構成例１を示すブロック図である。本実施形態の説明に使用するブロック図においては、本実施形態の説明に不要なブロックへの電源接続の記載は省略している。
【００１８】
図１において、アンテナ１０３は、非接触ＩＣ１０２のアンテナである。非接触ＩＣ１０２は、非接触ＩＣリーダーライターからの電磁波をアンテナ１０３で受信し、その電磁波のみを電力として無線通信動作することが可能である。即ち、非接触ＩＣ１０２は、アンテナ１０３からの電磁波から電力を生成して無線通信のための電力として供給する電力供給機能を有し、その他の電源供給が無くても使用可能である。非接触ＩＣリーダーライターは、例えば、図２６に示すような無線通信装置１５１に搭載されている。図２６において、アンテナ１５２は、非接触ＩＣリーダーライターのアンテナであり、無線通信装置１０１のアンテナ１０３と通信する。本実施形態の説明のために無線通信装置１５１の内部ブロック図は不要のため、図示及び説明を省略する。
【００１９】
本実施形態に係る非接触ＩＣ１０２は、外部から電磁波及び通信を受けるとＲＦ検出信号を出力する機能を持つものとする。無線通信装置１０１の内部において非接触ＩＣ１０２に供給されている電源ＶＤＤＩＮは、有線インターフェースであるＨＯＳＴ  Ｉ／Ｆを動作する場合に必要な電源である。電源ＶＤＤＩＮが供給されている場合、非接触ＩＣ１０２と後述するＣＰＵ１０７とは、ＨＯＳＴ  Ｉ／Ｆを介して通信を行い、非接触ＩＣ１０２内部のデータの書き込み及び読み込みが可能である。なお、ＶＤＤＩＮが供給されていない場合でも非接触ＩＣ１０２が外部からの電磁波のみを電力として無線通信動作することが可能であることに変わりはない。
【００２０】
電池１０４は、無線通信装置１０１の電池である。電源ＩＣ−Ａ１０５は、電池１０４の電圧が電源ＩＣ−Ａ１０５の動作範囲内であれば、無線通信装置１０１の動作に関わらず電圧を出力する。電源ＩＣ−Ｂ１０６は、外部からの制御信号に応じて電圧を出力する。
【００２１】
ＣＰＵ１０７（Ｃｅｎｔｒａｌ  Ｐｒｏｃｅｓｓｉｎｇ  Ｕｎｉｔ）は、無線通信装置１０１全体の制御を司る。ＲＡＭ１０８（Ｒａｎｄｏｍ  Ａｃｃｅｓｓ  Ｍｅｍｏｒｙ）は、ＣＰＵ１０７のワークエリアとして使用されるメモリである。ＲＯＭ１０９（Ｒｅａｄ  Ｏｎｌｙ  Ｍｅｍｏｒｙ）は、ＣＰＵ１０７の処理手順を記憶しているメモリであり、例えばフラッシュメモリなどの書き換えが可能な不揮発性メモリで構成される。
【００２２】
表示部１１０は、例えばＬＣＤ（Ｌｉｑｕｉｄ  Ｃｒｙｓｔａｌ  Ｄｉｓｐｌａｙ：液晶表示器）で構成され、画像データや操作情報などの映像を表示する。操作入力部１１１は、無線通信装置１０１の各種操作を受け付け、操作情報をＣＰＵ１０７へ伝える。メモリーカード１１２は、デジタルデータの書き込み及び読み込みを行うことができる。
【００２３】
無線通信部１１３は、無線通信を行い、アンテナ１１４は、無線通信部１１３により無線通信を行うためのアンテナである。無線通信部１１３は、非接触ＩＣ１０２とは異なる無線規格に対応しているものとする。例として、ＷＬＡＮ規格であるＩＥＥＥ８０２．１１に対応しているものとする。
【００２４】
撮像部１１５は、レンズ及びその駆動系で構成される光学ユニットと撮像素子とで構成される。ＲＴＣ１１６（Ｒｅａｌ  Ｔｉｍｅ  Ｃｌｏｃｋ：リアルタイムクロック）は、計時を行うために使用される。ＲＴＣ１１６は、無線通信装置１０１本体がＯＦＦの状態でも、電源ＩＣ−Ａ１０５の電圧出力によりバックアップ計時動作を継続することができる。
【００２５】
Ｒａ１２０、ＲＬ１２２、及びＲｂ１３５は抵抗であり、ＳＷ−Ａ１２１及びＳＷ−Ｂ１２３はスイッチである。ＳＷ−Ａ１２１（第１スイッチ）のＯＮ／ＯＦＦ用の入力端子は、Ｒａ１２０を介してＲＦ検出信号の出力端子（信号出力端子）に接続される。ＳＷ−Ｂ１２３（第２スイッチ）のＯＮ／ＯＦＦ用の入力端子は、Ｒｂ１３５を介してＣＰＵ１０７の「出力１」（制御出力端子）に接続される。ＳＷ−Ａ１２１及びＳＷ−Ｂ１２３は、ＮＰＮトランジスタ又はＮｃｈＭＯＳＦＥＴなど、ＯＮ時に導通状態になり、ＯＦＦ時に高インピーダンス状態となる素子であればよい。
【００２６】
ダイオード１２８は、整流用のダイオードである。ＳＷ−Ａ１２１がＮＰＮトランジスタの場合はそれ自身が整流動作をするため、ダイオード１２８は不要であるが、ＳＷ−Ａ１２１がＮｃｈＭＯＳＦＥＴの場合は整流用のダイオード１２８が必要である。本実施形態では、ＳＷ−Ａ１２１がＮＰＮトランジスタであるとして説明を行うため、ダイオード１２８の詳細な説明は省略する。
【００２７】
バッファ回路Ａ１１７は、電源ＩＣ−Ｂ１０６の電圧が出力されている時のみ、非接触ＩＣ１０２から出力されるＲＦ検出信号をバッファしてＣＰＵ１０７に伝える。ダイオード１３１及び１３２は、非接触ＩＣ１０２とＣＰＵ１０７の双方から送られる、電源ＩＣ−Ｂ１０６を制御する信号をＯＲ入力するために配置されている。
【００２８】
続いて、非接触ＩＣ１０２の周辺回路の動作を説明する。以下の説明において、無線通信装置１０１本体がＯＦＦの状態とは、電源ＩＣ−Ｂ１０６の電圧が出力されておらずＣＰＵ１０７がＯＦＦの状態で、ＣＰＵ１０７による制御が行われていない状態を指すものとする。また、無線通信装置１０１本体がＯＮの状態とは、電源ＩＣ−Ｂ１０６の電圧が出力されておりＣＰＵ１０７がＯＮの状態で、ＣＰＵ１０７による制御が行われている状態を指すものとする。
【００２９】
最初に、無線通信装置１０１本体がＯＦＦの場合に、非接触ＩＣ１０２が非接触ＩＣリーダーライターからの電磁波及び通信を受信する場合の動作を説明する。
【００３０】
非接触ＩＣ１０２は、外部から電磁波及び通信を受けると、正論理のＲＦ検出信号を出力する。ＲＦ検出信号は、Ｒａ１２０を介してＳＷ−Ａ１２１を駆動し、ＳＷ−Ａ１２１はＯＮになる。ＳＷ−Ａ１２１は、ＲＬ１２２を介して非接触ＩＣ１０２のアンテナ１０３に接続しており、ＳＷ−Ａ１２１がＯＮであれば、アンテナ１０３はＲＬ１２２及びＳＷ−Ａ１２１を介してグラウンドに短絡される。
【００３１】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ１０２における無線通信のための変復調が妨害されると共に、無線通信動作に必要な電力が維持できなくなり、無線通信動作が停止するに至る。無線通信のための変復調の妨害を確実にするために、ＲＬ１２２及びＳＷ−Ａ１２１を接続してアンテナ１０３の電流を引き抜く先は、非接触ＩＣ１０２内部の無線通信負荷変調に用いる負荷が接続されている側のアンテナ端子であることが望ましい。
【００３２】
非接触ＩＣ１０２は外部から電磁波及び通信を受けるとＲＦ検出信号を出力するため、非接触ＩＣ１０２はＲＦ検出信号により電源ＩＣ−Ｂ１０６を駆動する。そして、電源ＩＣ−Ｂ１０６の電圧出力でＣＰＵ１０７が動作を開始する。ところが、前述のように非接触ＩＣ１０２は無線通信動作に必要な電力が維持できなくなり、無線通信動作が停止するに至ると、非接触ＩＣ１０２はＲＦ検出信号の出力を停止するため、非接触ＩＣ１０２により電源ＩＣ−Ｂ１０６が駆動されることは無くなる。
【００３３】
次に、無線通信装置１０１本体がＯＮの場合に、非接触ＩＣ１０２が非接触ＩＣリーダーライターからの電磁波及び通信を受信する場合の動作を説明する。
【００３４】
無線通信装置１０１本体がＯＮの場合は、無線通信装置１０１は、ＣＰＵ１０７（出力１）からの信号によりＳＷ−Ｂ１２３を駆動することができる。ＣＰＵ１０７からの信号でＳＷ−Ｂ１２３を駆動してＳＷ−Ｂ１２３をＯＮにすると、ＳＷ−Ｂ１２３が、ＳＷ−Ａ１２１を駆動する信号をグラウンドに短絡し、この動作によってＳＷ−Ａ１２１がＯＦＦになる。
【００３５】
ＣＰＵ１０７からの制御によりＳＷ−Ｂ１２３をＯＮにした場合、非接触ＩＣ１０２は外部から電磁波及び通信を受けるとＲＦ検出信号を出力するが、ＲＦ検出信号はＲａ１２０を介してＳＷ−Ｂ１２３によりグラウンドに短絡される。よって、ＲＦ検出信号によりＳＷ−Ａ１２１は駆動されず、ＳＷ−Ａ１２１はＯＦＦになる。ＳＷ−Ａ１２１がＯＦＦの状態になると、非接触ＩＣ１０２は無線通信動作が可能である。
【００３６】
第１の実施形態の構成例１の動作をまとめると、下記のようになる。
【００３７】
無線通信装置１０１本体がＯＦＦの場合は、外部から電磁波及び通信を受けるとＳＷ−Ａ１２１がＯＮになり、アンテナ１０３がＳＷ−Ａ１２１を介してグラウンドに短絡されるため、非接触ＩＣ１０２の無線通信動作は無効である。
【００３８】
無線通信装置１０１本体がＯＮの場合は、無線通信装置１０１はＣＰＵ１０７（出力１）からの信号により、ＳＷ−Ｂ１２３をＯＮ／ＯＦＦ制御することができる。ＳＷ−Ｂ１２３がＯＮの場合は外部から電磁波及び通信を受けてもＳＷ−Ａ１２１がＯＦＦであるため、非接触ＩＣ１０２の無線通信動作は有効である。ＳＷ−Ｂ１２３がＯＦＦの場合は外部から電磁波及び通信を受けるとＳＷ−Ａ１２１がＯＮになり、非接触ＩＣ１０２の無線通信動作は無効となる。
【００３９】
以上、無線通信装置１０１本体がＯＦＦの場合とＯＮの場合それぞれについて、非接触ＩＣ１０２の無線通信の使用可否の切り替え制御を説明した。
【００４０】
図２は、第１の実施形態に係る無線通信装置１０１の非接触ＩＣ１０２の周辺回路の状態と非接触ＩＣ１０２の無線通信動作に関する真理値表である。以下の説明では、非接触ＩＣ１０２の無線通信動作を有効とすることを「ＥＮＡＢＬＥ」、無効とすることを「ＤＩＳＡＢＬＥ」と記載する場合がある。
【００４１】
電源ＩＣ−Ｂ１０６の動作最低電圧がＶｂ１であるとすると、電池１０４の電池電圧Ｖｂａｔｔが０≦Ｖｂａｔｔ＜Ｖｂ１である場合は電源ＩＣ−Ｂ１０６が動作できないため、ＣＰＵ１０７はＯＦＦである。ＣＰＵ１０７がＯＦＦであると非接触ＩＣ１０２の無線通信動作は「ＤＩＳＡＢＬＥ」のみである。
【００４２】
電池１０４の電池電圧ＶｂａｔｔがＶｂ１≦Ｖｂａｔｔである場合は、電源ＩＣ−Ｂ１０６が動作可能なため、ＣＰＵ１０７はＯＮ／ＯＦＦどちらの状態もとり得る。ＣＰＵ１０７がＯＦＦであると非接触ＩＣ１０２の無線通信動作は「ＤＩＳＡＢＬＥ」であるが、ＣＰＵ１０７がＯＮであると、ＣＰＵ１０７の制御により非接触ＩＣ１０２の無線通信動作は「ＤＩＳＡＢＬＥ」／「ＥＮＡＢＬＥ」どちらの動作も選択可能である。
【００４３】
図３は、第１の実施形態に係る無線通信装置１０１の非接触ＩＣ１０２の制御手順を示すフローチャートである。本フローチャートの各ステップの処理は、特に断らない限り、ＣＰＵ１０７により実行される。
【００４４】
Ｓ１０１で、ＣＰＵ１０７は、非接触ＩＣ１０２の無線通信動作設定が有効であるか否かを判定する。無線通信動作設定の有効／無効は、例えば、ユーザが表示部１１０及び操作入力部１１１を用いて切り替えることができる。ユーザが操作入力部１１１を操作することにより非接触ＩＣ１０２の動作設定メニューの表示を指示すると、ＣＰＵ１０７は、例えば図４に示すような動作設定メニューを表示部１１０に表示する。ユーザは、この動作設定メニューにおいて操作入力部１１１を操作することにより「有効」又は「無効」を選択することにより、無線通信動作設定の有効／無効を切り替えることができる。有効／無効の切り替えは、パスワードによるロック機能により保護してもよい。
【００４５】
Ｓ１０１において無線通信動作設定が有効でないと判定された場合、Ｓ１０２で、ＣＰＵ１０７は、出力１を「Ｌ」に制御してＳＷ−Ｂ１２３をＯＦＦにすることにより、非接触ＩＣ１０２を「ＤＩＳＡＢＬＥ」にする。
【００４６】
Ｓ１０１において無線通信動作設定が有効であると判定された場合、Ｓ１０３で、ＣＰＵ１０７は、ＣＰＵ１０７の動作モードが非接触ＩＣ１０２の無線通信動作が可能なモードであるか否かを判定する。非接触ＩＣ１０２の無線通信動作が可能でないモードとは、例えば、無線通信装置１０１が撮像部１１５を制御して静止画又は動画を撮影している時など、ＣＰＵ１０７の処理負荷が高く、ＣＰＵ１０７が非接触ＩＣ１０２による通信を処理できないモードである。即ち、Ｓ１０３においては、ＣＰＵ１０７の処理負荷が閾値以上であるか否かに応じた条件分岐が行われる。
【００４７】
Ｓ１０３において非接触ＩＣ１０２の無線通信動作が可能でないモードと判定された場合、Ｓ１０２で、ＣＰＵ１０７は、出力１を「Ｌ」に制御してＳＷ−Ｂ１２３をＯＦＦにすることにより、非接触ＩＣ１０２を「ＤＩＳＡＢＬＥ」にする。
【００４８】
Ｓ１０３において非接触ＩＣ１０２の無線通信動作が可能なモードと判定された場合、Ｓ１０４で、ＣＰＵ１０７は、出力１を「Ｈ」に制御してＳＷ−Ｂ１２３をＯＮにすることにより、非接触ＩＣ１０２を「ＥＮＡＢＬＥ」にする。
【００４９】
Ｓ１０５で、ＣＰＵ１０７は、操作入力部１１１により無線通信装置１０１の電源をＯＦＦにする操作が行われたか否かを判定する。電源をＯＦＦにする操作が行われていなければ、処理はＳ１０１に戻る。電源をＯＦＦにする操作が行われていた場合、ＣＰＵ１０７は、本フローチャートの処理を終了する。
【００５０】
このように、本実施形態では、ＣＰＵ１０７がＯＮの場合、非接触ＩＣ１０２の無線通信動作設定（Ｓ１０１）により、非接触ＩＣ１０２の無線通信動作を「ＤＩＳＡＢＬＥ」／「ＥＮＡＢＬＥ」どちらかに設定可能である。非接触ＩＣ１０２の無線通信動作設定をＲＯＭ１０９に記憶しておけば、無線通信装置１０１がＯＮになると、ＣＰＵ１０７は、ＲＯＭ１０９に記憶した非接触ＩＣ１０２の無線通信動作設定を読み出し、非接触ＩＣ１０２の無線通信動作を制御することができる。
【００５１】
●第１の実施形態の構成例２
図５は、第１の実施形態に係る無線通信装置５０１の非接触ＩＣ５０２の周辺回路の構成例２を示すブロック図である。図５において、図１の構成例１と同一又は同様の構成要素には同一の符号を付す。以下、主に構成例１との相違点について説明する。
【００５２】
非接触ＩＣ５０２の機能は、図１の非接触ＩＣ１０２の機能と異なる。図１の非接触ＩＣ１０２は、外部から電磁波及び通信を受けると正論理のＲＦ検出信号を出力するが、図５の非接触ＩＣ５０２は、外部から電磁波及び通信を受けると負論理のＲＦ検出信号を出力する。非接触ＩＣ５０２は、非接触ＩＣ１０２と同様に非接触ＩＣリーダーライターからの電磁波をアンテナ１０３で受信し、その電磁波のみを電力として無線通信動作することが可能である。即ち、非接触ＩＣ５０２は、アンテナ１０３からの電磁波から電力を生成して無線通信のための電力として供給する電力供給機能を有し、その他の電源供給が無くても使用可能である。
【００５３】
インバーター回路Ａ５１７は、信号の論理を反転させて非接触ＩＣ５０２の機能とその周辺回路の整合を取る。インバーター回路Ａ５１７のその他の機能は、図１のバッファ回路Ａ１１７と同様である。インバーター回路Ｂ５３０は、信号の論理を反転させて非接触ＩＣ５０２の機能とその周辺回路の整合を取る。
【００５４】
ＳＷ−Ａ１２１（第１スイッチ）のＯＮ／ＯＦＦ用の入力端子は、Ｒａ１２０及びダイオード５２６を介してアンテナ１０３に接続される。ＳＷ−Ｂ１２３（第２スイッチ）のＯＮ／ＯＦＦ用の入力端子は、Ｒｂ１３５を介してＣＰＵ１０７の「出力１」（制御出力端子）に接続される。
【００５５】
非接触ＩＣ５０２が外部から電磁波を受けるとアンテナ１０３に電流が発生し、電流はダイオード５２６で整流される。整流された電流は、Ｒａ１２０を介してＳＷ−Ａ１２１を駆動し、ＳＷ−Ａ１２１はＯＮになる。ＣＬ５２７は容量であり、ＳＷ−Ａ１２１の駆動を補償するために配置されている。ＳＷ−Ａ１２１は、ＲＬ１２２を介して非接触ＩＣ５０２のアンテナ１０３に接続しており、ＳＷ−Ａ１２１がＯＮであれば、アンテナ１０３はＲＬ１２２及びＳＷ−Ａ１２１を介してグラウンドに短絡される。
【００５６】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ５０２における無線通信のための変復調が妨害されると共に、無線通信動作に必要な電力が維持できなくなり、無線通信動作が停止するに至る。無線通信のための変復調の妨害を確実にするために、ＲＬ１２２及びＳＷ−Ａ１２１を接続してアンテナ１０３の電流を引き抜く先は、非接触ＩＣ５０２内部の無線通信負荷変調に用いる負荷が接続されている側のアンテナ端子であることが望ましい。
【００５７】
図５の構成例２と図１の構成例１とは、ＳＷ−Ａ１２１及びＳＷ−Ｂ１２３を有する点は同じである。従って、構成例２においても、ＣＰＵ１０７の制御により非接触ＩＣ５０２の無線通信動作として「ＤＩＳＡＢＬＥ」／「ＥＮＡＢＬＥ」を選択可能である。また、図２の真理値表、図３のフローチャート、及び図４の動作設定メニューは、構成例２にも適用可能である。
【００５８】
●第１の実施形態の構成例３
図６は、第１の実施形態に係る無線通信装置６０１の非接触ＩＣ６０２の周辺回路の構成例３を示すブロック図である。図６において、図１の構成例１及び図５の構成例２と同一又は同様の構成要素には同一の符号を付す。以下、主に構成例１及び構成例２との相違点について説明する。
【００５９】
非接触ＩＣ６０２の機能は、図５の非接触ＩＣ５０２の機能と異なる。図５の非接触ＩＣ５０２は、外部から電磁波を受けると、内部でその電磁波を無線通信動作の電力として使用する。それに対し、図６の非接触ＩＣ６０２は、外部から電磁波を受けると、ＶＤＤ端子に電圧を出力し、動作補償容量Ｃａ６２５に無線通信動作に必要な電圧を蓄積して無線通信動作を行う。非接触ＩＣ６０２は、非接触ＩＣ５０２と同様に非接触ＩＣリーダーライターからの電磁波をアンテナ１０３で受信し、その電磁波のみを電力として無線通信動作することが可能である。る。即ち、非接触ＩＣ６０２は、アンテナ１０３からの電磁波から電力を生成して無線通信のための電力として供給する電力供給機能を有し、その他の電源供給が無くても使用可能である。
【００６０】
ＳＷ−Ａ１２１（第１スイッチ）のＯＮ／ＯＦＦ用の入力端子は、Ｒａ１２０を介してＶＤＤ端子（電力出力端子）に接続される。ＳＷ−Ｂ１２３（第２スイッチ）のＯＮ／ＯＦＦ用の入力端子は、Ｒｂ１３５を介してＣＰＵ１０７の「出力１」（制御出力端子）に接続される。
【００６１】
非接触ＩＣ６０２は、外部から電磁波及び通信を受けるとＶＤＤ端子に電圧を出力する。ＶＤＤ端子に出力した電圧による信号は、Ｒａ１２０を介してＳＷ−Ａ１２１を駆動し、ＳＷ−Ａ１２１はＯＮになる。ＳＷ−Ａ１２１は、ＲＬ１２２を介して非接触ＩＣ６０２のアンテナ１０３に接続しており、ＳＷ−Ａ１２１がＯＮであれば、アンテナ１０３はＲＬ１２２及びＳＷ−Ａ１２１を介してグラウンドに短絡される。
【００６２】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ６０２における無線通信のための変復調が妨害されると共に、無線通信動作に必要な電力が維持できなくなり、無線通信動作が停止するに至る。無線通信のための変復調の妨害を確実にするために、ＲＬ１２２及びＳＷ−Ａ１２１を接続してアンテナ１０３の電流を引き抜く先は、非接触ＩＣ６０２内部の無線通信負荷変調に用いる負荷が接続されている側のアンテナ端子であることが望ましい。
【００６３】
図６の構成例３と図１の構成例１とは、ＳＷ−Ａ１２１及びＳＷ−Ｂ１２３を有する点は同じである。従って、構成例３においても、ＣＰＵ１０７の制御により非接触ＩＣ６０２の無線通信動作として「ＤＩＳＡＢＬＥ」／「ＥＮＡＢＬＥ」を選択可能である。また、図２の真理値表、図３のフローチャート、及び図４の動作設定メニューは、構成例３にも適用可能である。
【００６４】
●第１の実施形態の構成例４
図７は、第１の実施形態に係る無線通信装置７０１の非接触ＩＣ６０２の周辺回路の構成例４を示すブロック図である。図７において、図１の構成例１、図５の構成例２、及び図６の構成例３と同一又は同様の構成要素には同一の符号を付す。以下、主に構成例１、構成例２、及び構成例３との相違点について説明する。
【００６５】
ＳＷ−Ａ１２１（第１スイッチ）のＯＮ／ＯＦＦ用の入力端子は、Ｒａ１２０及びダイオード７２６を介してアンテナ１０３に接続される。ＳＷ−Ｂ１２３（第２スイッチ）のＯＮ／ＯＦＦ用の入力端子は、Ｒｂ１３５を介してＣＰＵ１０７の「出力１」（制御出力端子）に接続される。
【００６６】
非接触ＩＣ６０２が外部から電磁波を受けるとアンテナ１０３に電流が発生し、電流はダイオード７２６で整流される。整流された電流は、Ｒａ１２０を介してＳＷ−Ａ１２１を駆動し、ＳＷ−Ａ１２１はＯＮになる。ＣＬ７２７は容量であり、ＳＷ−Ａ１２１の駆動を補償するために配置されている。ＳＷ−Ａ１２１は、ＲＬ１２２を介して非接触ＩＣ６０２のＶＤＤ端子に接続しており、ＳＷ−Ａ１２１がＯＮであれば、非接触ＩＣ６０２のＶＤＤ端子はＲＬ１２２及びＳＷ−Ａ１２１を介してグラウンドに短絡される。
【００６７】
非接触ＩＣ６０２のＶＤＤ端子がグラウンドに短絡されると、外部からの電磁波により非接触ＩＣ６０２のＶＤＤ端子に無線通信動作に必要な電圧を蓄積することができなくなり、無線通信動作に必要な電力が維持できず、無線通信動作が停止するに至る。
【００６８】
図７の構成例４と図１の構成例１とは、ＳＷ−Ａ１２１及びＳＷ−Ｂ１２３を有する点は同じである。従って、構成例４においても、ＣＰＵ１０７の制御により非接触ＩＣ６０２の無線通信動作として「ＤＩＳＡＢＬＥ」／「ＥＮＡＢＬＥ」を選択可能である。また、図２の真理値表、図３のフローチャート、及び図４の動作設定メニューは、構成例４にも適用可能である。
【００６９】
以上、第１の実施形態の４つの構成例について説明した。第１の実施形態の構成を一般化して説明すると、次のようになる。非接触ＩＣ及びその周辺回路は、外部から電磁波及び通信を受けた場合にその電磁波及び通信をトリガとして非接触ＩＣの無線通信動作を無効化するような、クローズドループ回路を構成する。そして、周辺回路は、そのクローズドループ回路を解除する構成を更に備える。第１の実施形態では、クローズドループ回路の解除の有無は、ＣＰＵの出力により制御される。
【００７０】
［第２の実施形態］
第１の実施形態では、無線通信装置のＣＰＵがＯＮである場合に、ＣＰＵの制御により非接触ＩＣの無線通信動作として「ＤＩＳＡＢＬＥ」／「ＥＮＡＢＬＥ」を選択可能な構成について説明した。
【００７１】
第２の実施形態では、第１の実施形態の制御に加え、無線通信装置のＣＰＵがＯＦＦの場合であっても、状態保持回路により非接触ＩＣの無線通信動作として「ＤＩＳＡＢＬＥ」／「ＥＮＡＢＬＥ」を選択可能な構成について説明する。
【００７２】
ここでは、第１の実施形態と同様に、非接触ＩＣの機能に応じた４つの回路構成例（構成例１から４）を順に説明する。第２の実施形態では、非接触ＩＣの無線通信は国際標準規格であるＩＳＯ／ＩＥＣ２１４８１に対応しているものとする。
【００７３】
●第２の実施形態の構成例１
図８は、第２の実施形態に係る無線通信装置８０１の非接触ＩＣ１０２の周辺回路の構成例１を示すブロック図である。図８において、第１の実施形態の構成例１（図１）と同一又は同様の構成要素には同一の符号を付す。以下、主に第１の実施形態の構成例１との相違点について説明する。
【００７４】
Ｒａ８２０、ＲＬ８２２、Ｒｂ８３５、及びＲｃ８３６は抵抗であり、ＳＷ−Ａ８２１、ＳＷ−Ｂ８２３、及びＳＷ−Ｃ８２４はスイッチである。ＳＷ−Ａ８２１（第１スイッチ）のＯＮ／ＯＦＦ用の入力端子は、Ｒａ８２０を介してＲＦ検出信号の出力端子（信号出力端子）に接続される。ＳＷ−Ｂ８２３（第２スイッチ）のＯＮ／ＯＦＦ用の入力端子は、Ｒｂ８３５を介してＣＰＵ８０７の「出力１」（第１制御出力端子）に接続される。ＳＷ−Ｃ８２４（第３スイッチ）のＯＮ／ＯＦＦ用の入力端子は、Ｒｃ８３６を介して状態保持回路８３３に接続される。ＳＷ−Ａ８２１、ＳＷ−Ｂ８２３、及びＳＷ−Ｃ８２４は、ＮＰＮトランジスタ又はＮｃｈＭＯＳＦＥＴなど、ＯＮ時に導通状態になり、ＯＦＦ時に高インピーダンス状態となる素子であればよい。
【００７５】
ダイオード８２８は、整流用のダイオードである。ＳＷ−Ａ８２１がＮＰＮトランジスタの場合はそれ自身が整流動作をするため、ダイオード８２８は不要であるが、ＳＷ−Ａ８２１がＮｃｈＭＯＳＦＥＴの場合は整流用のダイオード８２８が必要である。本実施形態では、ＳＷ−Ａ８２１がＮＰＮトランジスタであるとして説明を行うため、ダイオード８２８の詳細な説明は省略する。
【００７６】
状態保持回路８３３は、ＣＰＵ８０７の「出力２」（第２制御出力端子）からの制御信号（第２制御信号）によって内部状態を切り替え、内部状態に従って信号の出力状態を切り替えることができる。なお、「出力２」の制御信号はユーザ操作や、無線通信装置８０１の動作状態に応じて切り替えることが可能である。状態保持回路８３３は、フリップフロップやＳＲＡＭのような揮発性、又はＥＥＰＲＯＭやＦＲＡＭ（登録商標）素子を用いた不揮発性どちらの回路であっても構わない。状態保持回路８３３の電源は、電源ＩＣ−Ａ１０５である。電源ＩＣ−Ａ１０５は電池１０４の電圧が電源ＩＣ−Ａ１０５の動作範囲内であれば無線通信装置８０１の動作に関わらず電圧を出力するため、状態保持回路８３３の出力状態は電源ＩＣ−Ａ１０５の電圧出力により維持される。
【００７７】
バッファ回路Ｃ８３４は、電源ＩＣ−Ｂ１０６の電圧が出力されている時のみ状態保持回路８３３の出力信号をバッファしてＣＰＵ８０７に伝える。
【００７８】
続いて、非接触ＩＣ１０２の周辺回路の動作を説明する。以下の説明において、無線通信装置８０１本体がＯＦＦの状態とは、電源ＩＣ−Ｂ１０６の電圧が出力されておらずＣＰＵ８０７がＯＦＦの状態で、ＣＰＵ８０７による制御が行われていない状態を指すものとする。また、無線通信装置８０１本体がＯＮの状態とは、電源ＩＣ−Ｂ１０６の電圧が出力されておりＣＰＵ８０７がＯＮの状態で、ＣＰＵ８０７による制御が行われている状態を指すものとする。
【００７９】
最初に、無線通信装置８０１本体がＯＦＦ、状態保持回路８３３の出力が「Ｌ」である場合に、非接触ＩＣ１０２が非接触ＩＣリーダーライターからの電磁波及び通信を受信する場合の動作を説明する。
【００８０】
非接触ＩＣ１０２は、外部から電磁波及び通信を受けると、正論理のＲＦ検出信号を出力する。ＲＦ検出信号は、Ｒａ８２０を介してＳＷ−Ａ８２１を駆動し、ＳＷ−Ａ８２１はＯＮになる。ＳＷ−Ａ８２１は、ＲＬ８２２を介して非接触ＩＣ１０２のアンテナ１０３に接続しており、ＳＷ−Ａ８２１がＯＮであれば、アンテナ１０３はＲＬ８２２及びＳＷ−Ａ８２１を介してグラウンドに短絡される。
【００８１】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ１０２における無線通信のための変復調が妨害されると共に、無線通信動作に必要な電力が維持できなくなり、無線通信動作が停止するに至る。無線通信のための変復調の妨害を確実にするために、ＲＬ８２２及びＳＷ−Ａ８２１を接続してアンテナ１０３の電流を引き抜く先は、非接触ＩＣ１０２内部の無線通信負荷変調に用いる負荷が接続されている側のアンテナ端子であることが望ましい。
【００８２】
非接触ＩＣ１０２は外部から電磁波及び通信を受けるとＲＦ検出信号を出力するため、非接触ＩＣ１０２はＲＦ検出信号により電源ＩＣ−Ｂ１０６を駆動する。そして、電源ＩＣ−Ｂ１０６の電圧出力でＣＰＵ８０７が動作を開始する。ところが、前述のように非接触ＩＣ１０２は無線通信動作に必要な電力が維持できなくなり、無線通信動作が停止するに至ると、非接触ＩＣ１０２はＲＦ検出信号の出力を停止するため、非接触ＩＣ１０２により電源ＩＣ−Ｂ１０６が駆動されることは無くなる。
【００８３】
次に、無線通信装置８０１本体がＯＦＦ、状態保持回路８３３の出力が「Ｈ」である場合に、非接触ＩＣ１０２が非接触ＩＣリーダーライターからの電磁波及び通信を受信する場合の動作を説明する。
【００８４】
状態保持回路８３３は「Ｈ」を出力しているため、ＳＷ−Ｃ８２４を駆動する。状態保持回路８３３の出力でＳＷ−Ｃ８２４を駆動してＳＷ−Ｃ８２４をＯＮにすると、ＳＷ−Ｃ８２４が、ＳＷ−Ａ８２１を駆動する信号をグラウンドに短絡し、この動作によってＳＷ−Ａ８２１がＯＦＦになる。
【００８５】
状態保持回路８３３がＳＷ−Ｃ８２４をＯＮにした場合、非接触ＩＣ１０２は外部から電磁波及び通信を受けるとＲＦ検出信号を出力するが、ＲＦ検出信号はＲａ８２０を介してＳＷ−Ｃ８２４によりグラウンドに短絡される。よって、ＲＦ検出信号によりＳＷ−Ａ８２１は駆動されず、ＳＷ−Ａ８２１はＯＦＦになる。ＳＷ−Ａ８２１がＯＦＦの状態になると、非接触ＩＣ１０２は無線通信動作が可能である。
【００８６】
次に、無線通信装置８０１本体がＯＮの場合に、非接触ＩＣ１０２が非接触ＩＣリーダーライターからの電磁波及び通信を受信する場合の動作を説明する。
【００８７】
無線通信装置８０１本体がＯＮの場合は、無線通信装置８０１は、ＣＰＵ８０７（出力１）からの信号（第１制御信号）によりＳＷ−Ｂ８２３を駆動することができる。ＣＰＵ８０７からの信号でＳＷ−Ｂ８２３を駆動してＳＷ−Ｂ８２３をＯＮにすると、ＳＷ−Ｂ８２３が、ＳＷ−Ｃ８２４を駆動する信号をグラウンドに短絡し、この動作によってＳＷ−Ｃ８２４がＯＦＦになる。
【００８８】
ＣＰＵ８０７からの制御によりＳＷ−Ｂ８２３をＯＮにした場合、状態保持回路８３３の出力状態に関わらずＳＷ−Ｃ８２４がＯＦＦになるため、ＳＷ−Ａ８２１をＯＦＦにするスイッチが無くなる。この状態で非接触ＩＣ１０２が外部から電磁波及び通信を受けると、ＳＷ−Ａ８２１がＯＮになるので、アンテナ１０３はＲＬ８２２及びＳＷ−Ａ８２１を介してグラウンドに短絡され、非接触ＩＣ１０２の無線通信動作が停止するに至る。
【００８９】
ＣＰＵ８０７（出力１）からの信号でＳＷ−Ｂ８２３を駆動せず、ＳＷ−Ｂ８２３をＯＦＦにすると、無線通信装置８０１はＣＰＵ８０７（出力２）からの信号により状態保持回路８３３の出力を切り替え、ＳＷ−Ｃ８２４をＯＮ／ＯＦＦ制御することができる。ＳＷ−Ｃ８２４がＯＮの場合、非接触ＩＣ１０２は外部から電磁波及び通信を受けるとＲＦ検出信号を出力するが、ＲＦ検出信号はＲａ８２０を介してＳＷ−Ｃ８２４によりグラウンドに短絡される。よって、ＲＦ検出信号によりＳＷ−Ａ８２１は駆動されず、ＳＷ−Ａ８２１はＯＦＦになる。ＳＷ−Ａ８２１がＯＦＦの状態になると、非接触ＩＣ１０２は無線通信動作が可能である。ＳＷ−Ｃ８２４がＯＦＦの場合、非接触ＩＣ１０２が外部から電磁波及び通信を受けるとＳＷ−Ａ８２１がＯＮになるので、アンテナ１０３はＲＬ８２２及びＳＷ−Ａ８２１を介してグラウンドに短絡され、非接触ＩＣ１０２の無線通信動作が停止するに至る。
【００９０】
第２の実施形態の構成例１の動作をまとめると、下記のようになる。
【００９１】
無線通信装置８０１本体がＯＦＦの場合は、状態保持回路８３３からの信号によりＳＷ−Ｃ８２４をＯＮ／ＯＦＦ制御することができる。ＳＷ−Ｃ８２４がＯＮの場合は外部から電磁波及び通信を受けてもＳＷ−Ａ８２１がＯＦＦであるため、非接触ＩＣ１０２の無線通信動作は有効である。ＳＷ−Ｃ８２４がＯＦＦの場合は外部から電磁波及び通信を受けるとＳＷ−Ａ８２１がＯＮになり、非接触ＩＣ１０２の無線通信動作は無効となる。
【００９２】
無線通信装置８０１本体がＯＮの場合は、無線通信装置８０１はＣＰＵ８０７からの信号によりＳＷ−Ｂ８２３をＯＮ／ＯＦＦ制御することができる。また、無線通信装置８０１はＣＰＵ８０７からの信号により状態保持回路８３３を制御してＳＷ−Ｃ８２４をＯＮ／ＯＦＦ制御することができる。ＳＷ−Ｂ８２３がＯＮの場合は状態保持回路８３３の出力状態によらず、外部から電磁波及び通信を受けてもＳＷ−Ａ８２１がＯＦＦであるため、非接触ＩＣ１０２の無線通信動作は有効である。ＳＷ−Ｂ８２３がＯＦＦ、ＳＷ−Ｃ８２４がＯＦＦの場合は、外部から電磁波及び通信を受けるとＳＷ−Ａ８２１がＯＮになり、非接触ＩＣ１０２の無線通信動作は無効となる。ＳＷ−Ｂ８２３がＯＦＦ、ＳＷ−Ｃ８２４がＯＮの場合は、外部から電磁波及び通信を受けてもＳＷ−Ａ８２１がＯＦＦであるため、非接触ＩＣ１０２の無線通信動作は有効である。
【００９３】
以上、無線通信装置８０１本体がＯＦＦの場合とＯＮの場合それぞれについて、非接触ＩＣ１０２の無線通信の使用可否の切り替え制御を説明した。
【００９４】
図９は、第２の実施形態に係る無線通信装置８０１の非接触ＩＣ１０２の周辺回路の状態と非接触ＩＣ１０２の無線通信動作に関する真理値表である。以下の説明では、非接触ＩＣ１０２の無線通信動作を有効とすることを「ＥＮＡＢＬＥ」、無効とすることを「ＤＩＳＡＢＬＥ」と記載する場合がある。
【００９５】
電源ＩＣ−Ａ１０５の動作最低電圧がＶａ１、電源ＩＣ−Ｂ１０６の動作最低電圧がＶｂ１、Ｖａ１＜Ｖｂ１であるとする。電池１０４の電池電圧Ｖｂａｔｔが０≦Ｖｂａｔｔ＜Ｖａ１である場合は、電源ＩＣ−Ａ１０５及び電源ＩＣ−Ｂ１０６が動作できないため、ＣＰＵ８０７及び状態保持回路８３３はＯＦＦである。ＣＰＵ８０７及び状態保持回路８３３がＯＦＦであると非接触ＩＣ１０２の無線通信動作は「ＤＩＳＡＢＬＥ」のみである。
【００９６】
電池１０４の電池電圧ＶｂａｔｔがＶａ１≦Ｖｂａｔｔ＜Ｖｂ１である場合は、電源ＩＣ−Ａ１０５は動作可能であるが電源ＩＣ−Ｂ１０６が動作できないため、ＣＰＵ８０７はＯＦＦ、状態保持回路８３３はＯＮである。ＣＰＵ８０７がＯＦＦで状態保持回路８３３がＯＮであると、状態保持回路８３３の出力状態により非接触ＩＣ１０２の無線通信動作は「ＤＩＳＡＢＬＥ」／「ＥＮＡＢＬＥ」どちらの動作も選択可能である。
【００９７】
電池１０４の電池電圧ＶｂａｔｔがＶｂ１≦Ｖｂａｔｔである場合は、電源ＩＣ−Ａ１０５及び電源ＩＣ−Ｂ１０６が動作可能なため、ＣＰＵ８０７はＯＮ／ＯＦＦどちらの状態もとり得る。ＣＰＵ８０７がＯＦＦであると、状態保持回路８３３の出力状態により非接触ＩＣ１０２の無線通信動作は「ＤＩＳＡＢＬＥ」／「ＥＮＡＢＬＥ」どちらの動作も選択可能である。ＣＰＵ８０７がＯＮであると、ＣＰＵ８０７の制御及び状態保持回路８３３の出力状態により非接触ＩＣ１０２の無線通信動作は「ＤＩＳＡＢＬＥ」／「ＥＮＡＢＬＥ」どちらの動作も選択可能である。
【００９８】
図１０は、第２の実施形態に係る無線通信装置８０１の非接触ＩＣ１０２の制御手順を示すフローチャートである。本フローチャートの各ステップの処理は、特に断らない限り、ＣＰＵ８０７により実行される。図１０において、図１と同一又は同様の処理が行われるステップには同一の符号を付し、説明を省略する。
【００９９】
Ｓ１０１において無線通信動作設定が有効でないと判定された場合、Ｓ２０１で、ＣＰＵ８０７は、状態保持回路８３３の出力を「Ｌ」に設定する。そして、Ｓ２０２で、ＣＰＵ８０７は、出力１を「Ｈ」に制御してＳＷ−Ｂ８２３をＯＮにすることにより、非接触ＩＣ１０２を「ＤＩＳＡＢＬＥ」にする。なお、図９に示す通り、状態保持回路８３３の出力が「Ｌ」であればＳＷ−Ｂ１２３の状態に関わらず非接触ＩＣ１０２は「ＤＩＳＡＢＬＥ」であるため、Ｓ２０２の処理は省略可能である。
【０１００】
Ｓ１０１において無線通信動作設定が有効であると判定された場合、Ｓ２０３で、ＣＰＵ８０７は、状態保持回路８３３の出力を「Ｈ」に設定し、Ｓ１０３における判定処理を行う。
【０１０１】
Ｓ１０３において非接触ＩＣ１０２の無線通信動作が可能でないモードと判定された場合、Ｓ２０２で、ＣＰＵ８０７は、出力１を「Ｈ」に制御してＳＷ−Ｂ８２３をＯＮにすることにより、非接触ＩＣ１０２を「ＤＩＳＡＢＬＥ」にする。
【０１０２】
Ｓ１０３において非接触ＩＣ１０２の無線通信動作が可能なモードと判定された場合、Ｓ２０４で、ＣＰＵ８０７は、出力１を「Ｌ」に制御してＳＷ−Ｂ８２３をＯＦＦにすることにより、非接触ＩＣ１０２を「ＥＮＡＢＬＥ」にする。
【０１０３】
このように、本実施形態では、ＣＰＵ８０７がＯＮの場合、非接触ＩＣ１０２の無線通信動作設定（Ｓ１０１）により、状態保持回路８３３の出力を「Ｌ」又は「Ｈ」どちらかに設定可能である。状態保持回路８３３の出力が「Ｌ」の場合、非接触ＩＣ１０２の無線通信動作は「ＤＩＳＡＢＬＥ」である。状態保持回路８３３の出力が「Ｈ」の場合、ＣＰＵ８０７の動作モードに応じて（Ｓ１０３）、非接触ＩＣ１０２の無線通信動作を「ＤＩＳＡＢＬＥ」／「ＥＮＡＢＬＥ」どちらかに設定可能である。非接触ＩＣ１０２の無線通信動作設定をＲＯＭ１０９に記憶しておけば、無線通信装置８０１がＯＮになると、ＣＰＵ８０７は、ＲＯＭ１０９に記憶した非接触ＩＣ１０２の無線通信動作設定を読み出し、非接触ＩＣ１０２の無線通信動作を制御することができる。
【０１０４】
更に、本実施形態では、状態保持回路８３３の出力状態は、ＣＰＵ８０７がＯＦＦの場合であっても保持し続けられる。よって、ＣＰＵ８０７がＯＦＦの場合であっても、非接触ＩＣ１０２の無線通信動作は「ＤＩＳＡＢＬＥ」／「ＥＮＡＢＬＥ」どちらの動作も選択可能である。
【０１０５】
●第２の実施形態の構成例２
図１１は、第２の実施形態に係る無線通信装置１１０１の非接触ＩＣ５０２の周辺回路の構成例２を示すブロック図である。図１１において、図８の構成例１と同一又は同様の構成要素には同一の符号を付す。また、第１の実施形態の構成例２（図５）と同一又は同様の構成要素には同一の符号を付す。以下、主に構成例１との相違点について説明する。
【０１０６】
非接触ＩＣ５０２が外部から電磁波を受けるとアンテナ１０３に電流が発生し、電流はダイオード５２６で整流される。整流された電流は、Ｒａ８２０を介してＳＷ−Ａ８２１を駆動し、ＳＷ−Ａ８２１はＯＮになる。ＣＬ５２７は容量であり、ＳＷ−Ａ８２１の駆動を補償するために配置されている。ＳＷ−Ａ８２１は、ＲＬ８２２を介して非接触ＩＣ５０２のアンテナ１０３に接続しており、ＳＷ−Ａ８２１がＯＮであれば、アンテナ１０３はＲＬ８２２及びＳＷ−Ａ８２１を介してグラウンドに短絡される。
【０１０７】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ５０２における無線通信のための変復調が妨害されると共に、無線通信動作に必要な電力が維持できなくなり、無線通信動作が停止するに至る。無線通信のための変復調の妨害を確実にするために、ＲＬ８２２及びＳＷ−Ａ８２１を接続してアンテナ１０３の電流を引き抜く先は、非接触ＩＣ５０２内部の無線通信負荷変調に用いる負荷が接続されている側のアンテナ端子であることが望ましい。
【０１０８】
図１１の構成例２と図８の構成例１とは、ＳＷ−Ａ８２１、ＳＷ−Ｂ８２３、ＳＷ−Ｃ８２４、及び状態保持回路８３３を有する点は同じである。従って、構成例２においても、ＣＰＵ８０７の制御及び状態保持回路８３３の出力状態により非接触ＩＣ５０２の無線通信動作として「ＤＩＳＡＢＬＥ」／「ＥＮＡＢＬＥ」を選択可能である。また、図９の真理値表及び図１０のフローチャートは、構成例２にも適用可能である。
【０１０９】
●第２の実施形態の構成例３
図１２は、第２の実施形態に係る無線通信装置１２０１の非接触ＩＣ６０２の周辺回路の構成例３を示すブロック図である。図１２において、図８の構成例１と同一又は同様の構成要素には同一の符号を付す。また、第１の実施形態の構成例３（図６）と同一又は同様の構成要素には同一の符号を付す。以下、主に構成例１との相違点について説明する。
【０１１０】
非接触ＩＣ６０２は、外部から電磁波及び通信を受けるとＶＤＤ端子に電圧を出力する。ＶＤＤ端子に出力した電圧による信号は、Ｒａ８２０を介してＳＷ−Ａ８２１を駆動し、ＳＷ−Ａ８２１はＯＮになる。ＳＷ−Ａ８２１は、ＲＬ８２２を介して非接触ＩＣ６０２のアンテナ１０３に接続しており、ＳＷ−Ａ８２１がＯＮであれば、アンテナ１０３はＲＬ８２２及びＳＷ−Ａ８２１を介してグラウンドに短絡される。
【０１１１】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ６０２における無線通信のための変復調が妨害されると共に、無線通信動作に必要な電力が維持できなくなり、無線通信動作が停止するに至る。無線通信のための変復調の妨害を確実にするために、ＲＬ８２２及びＳＷ−Ａ８２１を接続してアンテナ１０３の電流を引き抜く先は、非接触ＩＣ６０２内部の無線通信負荷変調に用いる負荷が接続されている側のアンテナ端子であることが望ましい。
【０１１２】
図１２の構成例３と図８の構成例１とは、ＳＷ−Ａ８２１、ＳＷ−Ｂ８２３、ＳＷ−Ｃ８２４、及び状態保持回路８３３を有する点は同じである。従って、構成例３においても、ＣＰＵ８０７の制御及び状態保持回路８３３の出力状態により非接触ＩＣ６０２の無線通信動作として「ＤＩＳＡＢＬＥ」／「ＥＮＡＢＬＥ」を選択可能である。また、図９の真理値表及び図１０のフローチャートは、構成例３にも適用可能である。
【０１１３】
●第２の実施形態の構成例４
図１３は、第２の実施形態に係る無線通信装置１３０１の非接触ＩＣ６０２の周辺回路の構成例４を示すブロック図である。図１３において、図８の構成例１と同一又は同様の構成要素には同一の符号を付す。また、第１の実施形態の構成例４（図７）と同一又は同様の構成要素には同一の符号を付す。以下、主に構成例１との相違点について説明する。
【０１１４】
非接触ＩＣ６０２が外部から電磁波及び通信を受けるとアンテナ１０３に電流が発生し、電流はダイオード７２６で整流される。整流された電流は、Ｒａ８２０を介してＳＷ−Ａ８２１を駆動し、ＳＷ−Ａ８２１はＯＮになる。ＣＬ７２７は容量であり、ＳＷ−Ａ８２１の駆動を補償するために配置されている。ＳＷ−Ａ８２１は、ＲＬ８２２を介して非接触ＩＣ６０２のＶＤＤ端子に接続しており、ＳＷ−Ａ８２１がＯＮであれば、非接触ＩＣ６０２のＶＤＤ端子はＲＬ８２２及びＳＷ−Ａ８２１を介してグラウンドに短絡される。
【０１１５】
非接触ＩＣ６０２のＶＤＤ端子がグラウンドに短絡されると、外部からの電磁波により非接触ＩＣ６０２のＶＤＤ端子に無線通信動作に必要な電圧を蓄積することができなくなり、無線通信動作に必要な電力が維持できず、無線通信動作が停止するに至る。
【０１１６】
図１３の構成例４と図８の構成例１とは、ＳＷ−Ａ８２１、ＳＷ−Ｂ８２３、ＳＷ−Ｃ８２４、及び状態保持回路８３３を有する点は同じである。従って、構成例４においても、ＣＰＵ８０７の制御及び状態保持回路８３３の出力状態により非接触ＩＣ６０２の無線通信動作として「ＤＩＳＡＢＬＥ」／「ＥＮＡＢＬＥ」を選択可能である。また、図９の真理値表及び図１０のフローチャートは、構成例４にも適用可能である。
【０１１７】
以上、第１の実施形態の４つの構成例について説明した。第２の実施形態の構成を一般化して説明すると、次のようになる。非接触ＩＣ及びその周辺回路は、外部から電磁波及び通信を受けた場合にその電磁波及び通信をトリガとして非接触ＩＣの無線通信動作を無効化するような、クローズドループ回路を構成する。そして、周辺回路は、そのクローズドループ回路を解除する構成を更に備える。第２の実施形態では、クローズドループ回路の解除の有無は、ＣＰＵの出力及び状態保持回路の出力により制御される。
【０１１８】
［第３の実施形態］
第１の実施形態では、無線通信装置のＣＰＵがＯＮである場合に、ＣＰＵの制御により非接触ＩＣの無線通信動作として「ＤＩＳＡＢＬＥ」／「ＥＮＡＢＬＥ」を選択可能な構成について説明した。
【０１１９】
第２の実施形態では、第１の実施形態の制御に加え、無線通信装置のＣＰＵがＯＦＦの場合であっても、状態保持回路により非接触ＩＣの無線通信動作として「ＤＩＳＡＢＬＥ」／「ＥＮＡＢＬＥ」を選択可能な構成について説明した。
【０１２０】
第３の実施形態では、第１の実施形態の制御に加え、無線通信装置のＣＰＵがＯＦＦの場合であっても、電圧検出回路により非接触ＩＣの無線通信動作として「ＤＩＳＡＢＬＥ」／「ＥＮＡＢＬＥ」を選択可能な構成について説明する。
【０１２１】
ここでは、第１の実施形態と同様に、非接触ＩＣの機能に応じた４つの回路構成例（構成例１から４）を順に説明する。第３の実施形態では、非接触ＩＣの無線通信は国際標準規格であるＩＳＯ／ＩＥＣ２１４８１に対応しているものとする。
【０１２２】
●第３の実施形態の構成例１
図１４は、第３の実施形態に係る無線通信装置１４０１の非接触ＩＣ１０２の周辺回路の構成例１を示すブロック図である。図１４において、第１の実施形態の構成例１（図１）と同一又は同様の構成要素には同一の符号を付す。以下、主に第１の実施形態の構成例１との相違点について説明する。
【０１２３】
Ｒａ１４２０、ＲＬ１４２２、Ｒｂ１４３５、Ｒｃ１４３６、及びＲｄ１４４１は抵抗であり、ＳＷ−Ａ１４２１、ＳＷ−Ｂ１４２３、ＳＷ−Ｃ１４２４、及びＳＷ−Ｄ１４４０はスイッチである。ＳＷ−Ａ１４２１（第１スイッチ）のＯＮ／ＯＦＦ用の入力端子は、Ｒａ１４２０を介してＲＦ検出信号の出力端子（信号出力端子）に接続される。ＳＷ−Ｂ１４２３（第２スイッチ）のＯＮ／ＯＦＦ用の入力端子は、Ｒｂ１４３５を介してＣＰＵ１４０７の「出力１」（制御出力端子）に接続される。ＳＷ−Ｃ１４２４（第３スイッチ）のＯＮ／ＯＦＦ用の入力端子は、Ｒｃ１４３６を介して電圧検出回路１４３３に接続される。ＳＷ−Ｄ１４４０（第４スイッチ）のＯＮ／ＯＦＦ用の入力端子は、Ｒｄ１４４１及びインバーター回路Ｄ１４４２を介してＣＰＵ１４０７の「出力１」（制御出力端子）に接続される。ＳＷ−Ａ１４２１、ＳＷ−Ｂ１４２３、ＳＷ−Ｃ１４２４、及びＳＷ−Ｄ１４４０は、ＮＰＮトランジスタ又はＮｃｈＭＯＳＦＥＴなど、ＯＮ時に導通状態になり、ＯＦＦ時に高インピーダンス状態となる素子であればよい。
【０１２４】
ダイオード１４２８は、整流用のダイオードである。ＳＷ−Ａ１４２１がＮＰＮトランジスタの場合はそれ自身が整流動作をするため、ダイオード１４２８は不要であるが、ＳＷ−Ａ１４２１がＮｃｈＭＯＳＦＥＴの場合は整流用のダイオード１４２８が必要である。本実施形態ではＳＷ−Ａ１４２１がＮＰＮトランジスタであるとして説明を行うため、ダイオード１４２８の詳細な説明は省略する。
【０１２５】
インバーター回路Ｄ１４４２は、ＣＰＵ１４０７の出力１を反転して出力する。インバーター回路Ｄ１４４２により、ＳＷ−Ｂ１４２３とＳＷ−Ｄ１４４０とで信号の入力状態が反転する。
【０１２６】
電圧検出回路１４３３は、電池１０４の電圧を検出し、電圧閾値Ｖｔ１未満であれば「Ｌ」を出力し、電圧閾値Ｖｔ１以上であれば「Ｈ」を出力するものとする。電圧検出回路１４３３の電源は電池１０４であるので、電圧検出回路１４３３は無線通信装置１４０１の動作に関わらず動作する。
【０１２７】
続いて、非接触ＩＣ１０２の周辺回路の動作を説明する。以下の説明において、無線通信装置１４０１本体がＯＦＦの状態とは、電源ＩＣ−Ｂ１０６の電圧が出力されておらずＣＰＵ１４０７がＯＦＦの状態で、ＣＰＵ１４０７による制御が行われていない状態を指すものとする。また、無線通信装置１４０１本体がＯＮの状態とは、電源ＩＣ−Ｂ１０６の電圧が出力されておりＣＰＵ１４０７がＯＮの状態で、ＣＰＵ１４０７による制御が行われている状態を指すものとする。
【０１２８】
最初に、無線通信装置１４０１本体がＯＦＦ、電池１０４の電圧が電圧閾値Ｖｔ１未満である場合に、非接触ＩＣ１０２が非接触ＩＣリーダーライターからの電磁波及び通信を受信する場合の動作を説明する。
【０１２９】
非接触ＩＣ１０２は、外部から電磁波及び通信を受けると、正論理のＲＦ検出信号を出力する。ＲＦ検出信号は、Ｒａ１４２０を介してＳＷ−Ａ１４２１を駆動し、ＳＷ−Ａ１４２１はＯＮになる。ＳＷ−Ａ１４２１は、ＲＬ１４２２を介して非接触ＩＣ１０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０１３０】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ１０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ１０２内部の無線通信負荷変調に用いる負荷が接続されている側のアンテナ端子であることが望ましい。
【０１３１】
非接触ＩＣ１０２は外部から電磁波及び通信を受けるとＲＦ検出信号を出力するため、非接触ＩＣ１０２はＲＦ検出信号により電源ＩＣ−Ｂ１０６を駆動する。そして、電源ＩＣ−Ｂ１０６の電圧出力でＣＰＵ１４０７が動作を開始する。ところが、前述のように非接触ＩＣ１０２は無線通信動作に必要な電力が維持できなくなり、無線通信動作が停止するに至ると、非接触ＩＣ１０２はＲＦ検出信号の出力を停止するため、非接触ＩＣ１０２により電源ＩＣ−Ｂ１０６が駆動されることは無くなる。
【０１３２】
次に、無線通信装置１４０１本体がＯＦＦ、電池１０４の電圧が電圧閾値Ｖｔ１以上である場合に、非接触ＩＣ１０２が非接触ＩＣリーダーライターからの電磁波及び通信を受信する場合の動作を説明する。
【０１３３】
電圧検出回路１４３３は「Ｈ」を出力しているため、ＳＷ−Ｃ１４２４を駆動する。電圧検出回路１４３３の出力でＳＷ−Ｃ１４２４を駆動してＳＷ−Ｃ１４２４をＯＮにすると、ＳＷ−Ｃ１４２４が、ＳＷ−Ａ１４２１を駆動する信号をグラウンドに短絡し、この動作によってＳＷ−Ａ１４２１がＯＦＦになる。
【０１３４】
電圧検出回路１４３３が「Ｈ」を出力している場合、非接触ＩＣ１０２は外部から電磁波及び通信を受けるとＲＦ検出信号を出力するが、ＲＦ検出信号はＲａ１４２０を介してＳＷ−Ｃ１４２４によりグラウンドに短絡される。よって、ＲＦ検出信号によりＳＷ−Ａ１４２１は駆動されず、ＳＷ−Ａ１４２１はＯＦＦになる。ＳＷ−Ａ１４２１がＯＦＦの状態になると、非接触ＩＣ１０２は無線通信動作が可能である。
【０１３５】
次に、無線通信装置１４０１本体がＯＮの場合に、非接触ＩＣ１０２が非接触ＩＣリーダーライターからの電磁波及び通信を受信する場合の動作を説明する。
【０１３６】
無線通信装置１４０１本体がＯＮの場合は、無線通信装置１４０１は、ＣＰＵ１４０７（出力１）からの信号によりＳＷ−Ｂ１４２３及びＳＷ−Ｄ１４４０を駆動することができる。ＣＰＵ１４０７からの信号でＳＷ−Ｂ１４２３を駆動してＳＷ−Ｂ１４２３をＯＮにすると、インバーター回路Ｄ１４４２で反転動作するＳＷ−Ｄ１４４０はＯＦＦになる。この場合、ＳＷ−Ｂ１４２３が、ＳＷ−Ｃ１４２４を駆動する信号をグラウンドに短絡し、この動作によってＳＷ−Ｃ１４２４がＯＦＦになる。
【０１３７】
ＣＰＵ１４０７からの制御によりＳＷ−Ｂ１４２３をＯＮにした場合、電圧検出回路１４３３の出力状態に関わらずＳＷ−Ｃ１４２４がＯＦＦになるため、ＳＷ−Ａ１４２１をＯＦＦにするスイッチが無くなる。この状態で非接触ＩＣ１０２が外部から電磁波及び通信を受けると、ＳＷ−Ａ１４２１がＯＮになるので、アンテナ１０３はＲＬ１４２２及びＳＷ−Ａ１４２１を介してグラウンドに短絡され、非接触ＩＣ１０２の無線通信動作が停止するに至る。
【０１３８】
ＣＰＵ１４０７（出力１）からの信号でＳＷ−Ｂ１４２３を駆動せず、ＳＷ−Ｂ１４２３をＯＦＦにすると、インバーター回路Ｄ１４４２で反転動作するＳＷ−Ｄ１４４０はＯＮになる。ＳＷ−Ｄ１４４０がＯＮの場合、非接触ＩＣ１０２は外部から電磁波及び通信を受けるとＲＦ検出信号を出力するが、ＲＦ検出信号はＲａ１４２０を介してＳＷ−Ｄ１４４０によりグラウンドに短絡される。よって、ＲＦ検出信号によりＳＷ−Ａ１４２１は駆動されず、ＳＷ−Ａ１４２１はＯＦＦになる。ＳＷ−Ａ１４２１がＯＦＦの状態になると、非接触ＩＣ１０２は無線通信動作が可能である。
【０１３９】
第３の実施形態の構成例１の動作をまとめると、下記のようになる。
【０１４０】
無線通信装置１４０１本体がＯＦＦの場合は、電圧検出回路１４３３の出力によりＳＷ−Ｃ１４２４をＯＮ／ＯＦＦ制御することができる。ＳＷ−Ｃ１４２４がＯＮの場合は外部から電磁波及び通信を受けてもＳＷ−Ａ１４２１がＯＦＦであるため、非接触ＩＣ１０２の無線通信動作は有効である。ＳＷ−Ｃ１４２４がＯＦＦの場合は外部から電磁波及び通信を受けるとＳＷ−Ａ１４２１がＯＮになり、非接触ＩＣ１０２の無線通信動作は無効となる。
【０１４１】
無線通信装置１４０１本体がＯＮの場合は、無線通信装置１４０１はＣＰＵ１４０７からの信号によりＳＷ−Ｂ１４２３及びＳＷ−Ｄ１４４０をＯＮ／ＯＦＦ及びＯＦＦ／ＯＮ制御することができる。ＳＷ−Ｂ１４２３がＯＮ、ＳＷ−Ｄ１４４０がＯＦＦの場合は電圧検出回路１４３３の出力状態によらず、外部から電磁波及び通信を受けるとＳＷ−Ａ１４２１がＯＮになり、非接触ＩＣ１０２の無線通信動作は無効となる。ＳＷ−Ｂ１４２３がＯＦＦ、ＳＷ−Ｄ１４４０がＯＮの場合は電圧検出回路１４３３の出力状態によらず、外部から電磁波及び通信を受けてもＳＷ−Ａ１４２１がＯＦＦであるため、非接触ＩＣ１０２の無線通信動作は有効である。
【０１４２】
以上、無線通信装置１４０１本体がＯＦＦの場合とＯＮの場合それぞれについて、非接触ＩＣ１０２の無線通信の使用可否の切り替え制御を説明した。
【０１４３】
図１５は、第３の実施形態に係る無線通信装置１４０１の非接触ＩＣ１０２の周辺回路の状態と非接触ＩＣ１０２の無線通信動作に関する真理値表である。以下の説明では、非接触ＩＣ１０２の無線通信動作を有効とすることを「ＥＮＡＢＬＥ」、無効とすることを「ＤＩＳＡＢＬＥ」と記載する場合がある。
【０１４４】
電源ＩＣ−Ｂ１０６の動作最低電圧がＶｂ１、電圧検出回路１４３３の電圧閾値がＶｔ１、Ｖｂ１＜Ｖｔ１であるとする。電池１０４の電池電圧Ｖｂａｔｔが０≦Ｖｂａｔｔ＜Ｖｂ１である場合は、電源ＩＣ−Ｂ１０６が動作できないため、ＣＰＵ１４０７はＯＦＦである。そして、電圧検出回路１４３３の出力は「Ｌ」である。ＣＰＵ１４０７がＯＦＦであり電圧検出回路１４３３の出力が「Ｌ」であると、非接触ＩＣ１０２の無線通信動作は「ＤＩＳＡＢＬＥ」のみである。
【０１４５】
電池１０４の電池電圧ＶｂａｔｔがＶｂ１≦Ｖｂａｔｔ＜Ｖｔ１である場合は、電源ＩＣ−Ｂ１０６が動作可能なため、ＣＰＵ１４０７はＯＮ／ＯＦＦどちらの状態もとり得る。そして、電圧検出回路１４３３の出力は「Ｌ」である。ＣＰＵ１４０７がＯＦＦであると、非接触ＩＣ１０２の無線通信動作は「ＤＩＳＡＢＬＥ」である。ＣＰＵ１４０７がＯＮであると、ＣＰＵ１４０７の制御により非接触ＩＣ１０２の無線通信動作は「ＤＩＳＡＢＬＥ」／「ＥＮＡＢＬＥ」どちらの動作も選択可能である。
【０１４６】
電池１０４の電池電圧ＶｂａｔｔがＶｔ１≦Ｖｂａｔｔである場合は、電源ＩＣ−Ｂ１０６が動作可能なため、ＣＰＵ１４０７はＯＮ／ＯＦＦどちらの状態もとり得る。そして、電圧検出回路１４３３の出力は「Ｈ」である。ＣＰＵ１４０７がＯＦＦであると、電圧検出回路１４３３の出力により非接触ＩＣ１０２の無線通信動作は「ＥＮＡＢＬＥ」である。ＣＰＵ１４０７がＯＮであると、ＣＰＵ１４０７の制御により非接触ＩＣ１０２の無線通信動作は「ＤＩＳＡＢＬＥ」／「ＥＮＡＢＬＥ」どちらの動作も選択可能である。
【０１４７】
図１６は、第３の実施形態に係る無線通信装置１４０１の非接触ＩＣ１０２の制御手順を示すフローチャートである。本フローチャートの各ステップの処理は、特に断らない限り、ＣＰＵ１４０７により実行される。図１６において、図１と同一又は同様の処理が行われるステップには同一の符号を付し、説明を省略する。
【０１４８】
Ｓ１０３において非接触ＩＣ１０２の無線通信動作が可能でないモードと判定された場合、Ｓ３０１で、ＣＰＵ１４０７は、出力１を「Ｈ」に制御してＳＷ−Ｂ１４２３をＯＮ、ＳＷ−Ｄ１４４０をＯＦＦにする。これにより、非接触ＩＣ１０２は「ＤＩＳＡＢＬＥ」になる。
【０１４９】
Ｓ１０３において非接触ＩＣ１０２の無線通信動作が可能なモードと判定された場合、Ｓ３０２で、ＣＰＵ１４０７は、出力１を「Ｌ」に制御してＳＷ−Ｂ１４２３をＯＦＦ、ＳＷ−Ｄ１４４０をＯＮにする。これにより、非接触ＩＣ１０２は「ＥＮＡＢＬＥ」になる。
【０１５０】
また、本実施形態では、図１６の処理とは独立して、ＣＰＵ１４０７がＯＦＦの場合であっても、電圧検出回路１４３３の出力状態によって、非接触ＩＣ１０２の無線通信動作は「ＤＩＳＡＢＬＥ」／「ＥＮＡＢＬＥ」どちらの動作も選択可能である。
【０１５１】
●第３の実施形態の構成例２
図１７は、第３の実施形態に係る無線通信装置１７０１の非接触ＩＣ５０２の周辺回路の構成例２を示すブロック図である。図１７において、図１４の構成例１と同一又は同様の構成要素には同一の符号を付す。また、第１の実施形態の構成例２（図５）と同一又は同様の構成要素には同一の符号を付す。以下、主に構成例１との相違点について説明する。
【０１５２】
非接触ＩＣ５０２が外部から電磁波を受けるとアンテナ１０３に電流が発生し、電流はダイオード５２６で整流される。整流された電流は、Ｒａ１４２０を介してＳＷ−Ａ１４２１を駆動し、ＳＷ−Ａ１４２１はＯＮになる。ＣＬ５２７は容量であり、ＳＷ−Ａ１４２１の駆動を補償するために配置されている。ＳＷ−Ａ１４２１はＲＬ１４２２を介して非接触ＩＣ５０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０１５３】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ５０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ５０２内部の無線通信負荷変調に用いる負荷が接続されている側のアンテナ端子であることが望ましい。
【０１５４】
図１７の構成例２と図１４の構成例１とは、ＳＷ−Ａ１４２１、ＳＷ−Ｂ１４２３、ＳＷ−Ｃ１４２４、ＳＷ−Ｄ１４４０、及び電圧検出回路１４３３を有する点は同じである。従って、構成例２においても、ＣＰＵ１４０７の制御及び電圧検出回路１４３３の出力状態により非接触ＩＣ５０２の無線通信動作として「ＤＩＳＡＢＬＥ」／「ＥＮＡＢＬＥ」を選択可能である。また、図１５の真理値表及び図１６のフローチャートは、構成例２にも適用可能である。
【０１５５】
●第３の実施形態の構成例３
図１８は、第３の実施形態に係る無線通信装置１８０１の非接触ＩＣ６０２の周辺回路の構成例３を示すブロック図である。図１８において、図１４の構成例１と同一又は同様の構成要素には同一の符号を付す。また、第１の実施形態の構成例３（図６）と同一又は同様の構成要素には同一の符号を付す。以下、主に構成例１との相違点について説明する。
【０１５６】
非接触ＩＣ６０２は、外部から電磁波及び通信を受けるとＶＤＤ端子に電圧を出力する。ＶＤＤ端子に出力した電圧による信号は、Ｒａ１４２０を介してＳＷ−Ａ１４２１を駆動し、ＳＷ−Ａ１４２１はＯＮになる。ＳＷ−Ａ１４２１は、ＲＬ１４２２を介して非接触ＩＣ６０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０１５７】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ６０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ６０２内部の無線通信負荷変調に用いる負荷が接続されている側のアンテナ端子であることが望ましい。
【０１５８】
図１８の構成例３と図１４の構成例１とは、ＳＷ−Ａ１４２１、ＳＷ−Ｂ１４２３、ＳＷ−Ｃ１４２４、ＳＷ−Ｄ１４４０、及び電圧検出回路１４３３を有する点は同じである。従って、構成例３においても、ＣＰＵ１４０７の制御及び電圧検出回路１４３３の出力状態により非接触ＩＣ６０２の無線通信動作として「ＤＩＳＡＢＬＥ」／「ＥＮＡＢＬＥ」を選択可能である。また、図１５の真理値表及び図１６のフローチャートは、構成例３にも適用可能である。
【０１５９】
●第３の実施形態の構成例４
図１９は、第３の実施形態に係る無線通信装置１９０１の非接触ＩＣ６０２の周辺回路の構成例４を示すブロック図である。図１９において、図１４の構成例１と同一又は同様の構成要素には同一の符号を付す。また、第１の実施形態の構成例４（図７）と同一又は同様の構成要素には同一の符号を付す。以下、主に構成例１との相違点について説明する。
【０１６０】
非接触ＩＣ６０２が外部から電磁波及び通信を受けるとアンテナ１０３に電流が発生し、電流はダイオード７２６で整流される。整流された電流は、Ｒａ１４２０を介してＳＷ−Ａ１４２１を駆動し、ＳＷ−Ａ１４２１はＯＮになる。ＣＬ７２７は容量であり、ＳＷ−Ａ１４２１の駆動を補償するために配置されている。ＳＷ−Ａ１４２１は、ＲＬ１４２２を介して非接触ＩＣ６０２のＶＤＤ端子に接続しており、ＳＷ−Ａ１４２１がＯＮであれば、非接触ＩＣ６０２のＶＤＤ端子はＲＬ１４２２及びＳＷ−Ａ１４２１を介してグラウンドに短絡される。
【０１６１】
非接触ＩＣ６０２のＶＤＤ端子がグラウンドに短絡されると、外部からの電磁波により非接触ＩＣ６０２のＶＤＤ端子に無線通信動作に必要な電圧を蓄積することができなくなり、無線通信動作に必要な電力が維持できず、無線通信動作が停止するに至る。
【０１６２】
図１９の構成例４と図１４の構成例１とは、ＳＷ−Ａ１４２１、ＳＷ−Ｂ１４２３、ＳＷ−Ｃ１４２４、ＳＷ−Ｄ１４４０、及び電圧検出回路１４３３を有する点は同じである。従って、構成例４においても、ＣＰＵ１４０７の制御及び電圧検出回路１４３３の出力状態により非接触ＩＣ６０２の無線通信動作として「ＤＩＳＡＢＬＥ」／「ＥＮＡＢＬＥ」を選択可能である。また、図１５の真理値表及び図１６のフローチャートは、構成例４にも適用可能である。
【０１６３】
以上、第３の実施形態の４つの構成例について説明した。第３の実施形態の構成を一般化して説明すると、次のようになる。非接触ＩＣ及びその周辺回路は、外部から電磁波及び通信を受けた場合にその電磁波及び通信をトリガとして非接触ＩＣの無線通信動作を無効化するような、クローズドループ回路を構成する。そして、周辺回路は、そのクローズドループ回路を解除する構成を更に備える。第３の実施形態では、クローズドループ回路の解除の有無は、ＣＰＵの出力及び電圧検出回路の出力により制御される。
【０１６４】
［第４の実施形態］
第１の実施形態では、無線通信装置のＣＰＵがＯＮである場合に、ＣＰＵの制御により非接触ＩＣの無線通信動作として「ＤＩＳＡＢＬＥ」／「ＥＮＡＢＬＥ」を選択可能な構成について説明した。
【０１６５】
第２の実施形態では、第１の実施形態の制御に加え、無線通信装置のＣＰＵがＯＦＦの場合であっても、状態保持回路により非接触ＩＣの無線通信動作として「ＤＩＳＡＢＬＥ」／「ＥＮＡＢＬＥ」を選択可能な構成について説明した。
【０１６６】
第３の実施形態では、第１の実施形態の制御に加え、無線通信装置のＣＰＵがＯＦＦの場合であっても、電圧検出回路により非接触ＩＣの無線通信動作として「ＤＩＳＡＢＬＥ」／「ＥＮＡＢＬＥ」を選択可能な構成について説明した。
【０１６７】
第４の実施形態は、第３の実施形態の回路と動作の一部を変えたものである。第４の実施形態では、第３の実施形態と同様、無線通信装置のＣＰＵがＯＦＦの場合には電圧検出回路により非接触ＩＣの無線通信動作を「ＤＩＳＡＢＬＥ」／「ＥＮＡＢＬＥ」どちらかに設定可能である。第３の実施形態と異なる部分は、無線通信装置のＣＰＵがＯＮの場合に、電圧検出回路とＣＰＵの制御の「ＯＲ」によって非接触ＩＣの無線通信動作を「ＤＩＳＡＢＬＥ」／「ＥＮＡＢＬＥ」に制御することである。また、第４の実施形態と第３の実施形態との違いとして、回路素子を減少させ、より簡素な動作を実現している点も挙げられる。
【０１６８】
第３の実施形態では、電池電圧が電圧検出回路の閾値Ｖｔ１以上であっても、無線通信装置本体のＣＰＵの出力状態によって非接触ＩＣの無線通信動作を「ＤＩＳＡＢＬＥ」／「ＥＮＡＢＬＥ」に制御可能であった。これに対し、第４の実施形態では、電池電圧が電圧検出回路の閾値Ｖｔ１以上の場合、無線通信装置本体のＣＰＵの出力状態に関わらず非接触ＩＣの無線通信動作が「ＥＮＡＢＬＥ」になる。第４の実施形態で説明する動作は、例えば電池電圧が電圧検出回路の閾値Ｖｔ１以上であれば無線通信装置本体と非接触ＩＣとの動作連携が可能であることが保証されている場合に効果的な構成である。
【０１６９】
ここでは、第３の実施形態と同様に、非接触ＩＣの機能に応じた４つの回路構成例（構成例１から４）を順に説明する。第４の実施形態では、非接触ＩＣの無線通信は国際標準規格であるＩＳＯ／ＩＥＣ２１４８１に対応しているものとする。
【０１７０】
●第４の実施形態の構成例１
図２０は、第４の実施形態に係る無線通信装置２００１の非接触ＩＣ１０２の周辺回路の構成例１を示すブロック図である。図２０において、第３の実施形態の構成例１（図１４）と同一又は同様の構成要素には同一の符号を付す。以下、主に第３の実施形態の構成例１との相違点について説明する。
【０１７１】
図２０において、ＣＰＵ２００７の動作は、図１４のＣＰＵ１４０７の動作と異なる（詳細は後述）。ＳＷ−Ａ１４２１（第１スイッチ）のＯＮ／ＯＦＦ用の入力端子は、Ｒａ１４２０を介してＲＦ検出信号の出力端子（信号出力端子）に接続される。ＳＷ−Ｃ１４２４（第３スイッチ）のＯＮ／ＯＦＦ用の入力端子は、Ｒｃ１４３６及びダイオード２０４４を介して電圧検出回路１４３３に接続され、Ｒｃ１４３６及びダイオード２０４５を介してＣＰＵ２００７の「出力１」（制御出力端子）に接続される。従って、電圧検出回路１４３３の出力、及びＣＰＵ２００７の出力１は、ダイオード２０４４及びダイオード２０４５により、Ｒｃ１４３６に対してＯＲ入力される。
【０１７２】
続いて、非接触ＩＣ１０２の周辺回路の動作を説明する。以下の説明において、無線通信装置２００１本体がＯＦＦの状態とは、電源ＩＣ−Ｂ１０６の電圧が出力されておらずＣＰＵ２００７がＯＦＦの状態で、ＣＰＵ２００７による制御が行われていない状態を指すものとする。また、無線通信装置２００１本体がＯＮの状態とは、電源ＩＣ−Ｂ１０６の電圧が出力されておりＣＰＵ２００７がＯＮの状態で、ＣＰＵ２００７による制御が行われている状態を指すものとする。
【０１７３】
最初に、無線通信装置２００１本体がＯＦＦ、電池１０４の電圧が電圧閾値Ｖｔ１未満である場合に、非接触ＩＣ１０２が非接触ＩＣリーダーライターからの電磁波及び通信を受信する場合の動作を説明する。
【０１７４】
非接触ＩＣ１０２は、外部から電磁波及び通信を受けると、正論理のＲＦ検出信号を出力する。ＲＦ検出信号は、Ｒａ１４２０を介してＳＷ−Ａ１４２１を駆動し、ＳＷ−Ａ１４２１はＯＮになる。ＳＷ−Ａ１４２１は、ＲＬ１４２２を介して非接触ＩＣ１０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０１７５】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ１０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ１０２内部の無線通信負荷変調に用いる負荷が接続されている側のアンテナ端子であることが望ましい。
【０１７６】
非接触ＩＣ１０２は外部から電磁波及び通信を受けるとＲＦ検出信号を出力するため、非接触ＩＣ１０２はＲＦ検出信号により電源ＩＣ−Ｂ１０６を駆動する。そして、電源ＩＣ−Ｂ１０６の電圧出力でＣＰＵ２００７が動作を開始する。ところが、前述のように非接触ＩＣ１０２は無線通信動作に必要な電力が維持できなくなり、無線通信動作が停止するに至ると、非接触ＩＣ１０２はＲＦ検出信号の出力を停止するため、非接触ＩＣ１０２により電源ＩＣ−Ｂ１０６が駆動されることは無くなる。
【０１７７】
次に、無線通信装置２００１本体がＯＦＦ、電池１０４の電圧が電圧閾値Ｖｔ１以上である場合に、非接触ＩＣ１０２が非接触ＩＣリーダーライターからの電磁波及び通信を受信する場合の動作を説明する。
【０１７８】
電圧検出回路１４３３は「Ｈ」を出力しているため、ＳＷ−Ｃ１４２４を駆動する。電圧検出回路１４３３の出力でＳＷ−Ｃ１４２４を駆動してＳＷ−Ｃ１４２４をＯＮにすると、ＳＷ−Ｃ１４２４が、ＳＷ−Ａ１４２１を駆動する信号をグラウンドに短絡し、この動作によってＳＷ−Ａ１４２１がＯＦＦになる。
【０１７９】
電圧検出回路１４３３が「Ｈ」を出力している場合、非接触ＩＣ１０２は外部から電磁波及び通信を受けるとＲＦ検出信号を出力するが、ＲＦ検出信号はＲａ１４２０を介してＳＷ−Ｃ１４２４によりグラウンドに短絡される。よって、ＲＦ検出信号によりＳＷ−Ａ１４２１は駆動されず、ＳＷ−Ａ１４２１はＯＦＦになる。ＳＷ−Ａ１４２１がＯＦＦの状態になると、非接触ＩＣ１０２は無線通信動作が可能である。
【０１８０】
次に、無線通信装置２００１本体がＯＮの場合に、非接触ＩＣ１０２が非接触ＩＣリーダーライターからの電磁波及び通信を受信する場合の動作を説明する。
【０１８１】
無線通信装置２００１本体がＯＮの場合は、無線通信装置２００１は、電圧検出回路１４３３とＣＰＵ２００７との信号のＯＲによりＳＷ−Ｃ１４２４を駆動することができる。電池１０４の電圧が電圧閾値Ｖｔ１未満である場合は、電圧検出回路１４３３が「Ｌ」を出力しているため、ＳＷ−Ｃ１４２４はＣＰＵ２００７（出力１）からの信号によってＯＮ／ＯＦＦ制御することができる。
【０１８２】
ＣＰＵ２００７（出力１）からの信号でＳＷ−Ｃ１４２４を駆動せずＳＷ−Ｃ１４２４をＯＦＦにすると、ＳＷ−Ａ１４２１をＯＦＦにするスイッチが無くなる。非接触ＩＣ１０２が外部から電磁波及び通信を受けるとＳＷ−Ａ１４２１がＯＮになるので、アンテナ１０３はＲＬ１４２２及びＳＷ−Ａ１４２１を介してグラウンドに短絡され、非接触ＩＣ１０２の無線通信動作が停止するに至る。
【０１８３】
ＣＰＵ２００７（出力１）からの信号でＳＷ−Ｃ１４２４を駆動してＳＷ−Ｃ１４２４をＯＮにすると、非接触ＩＣ１０２は外部から電磁波及び通信を受けるとＲＦ検出信号を出力する。しかし、ＲＦ検出信号はＲａ１４２０を介してＳＷ−Ｃ１４２４によりグラウンドに短絡される。よって、ＲＦ検出信号によりＳＷ−Ａ１４２１は駆動されず、ＳＷ−Ａ１４２１はＯＦＦになる。ＳＷ−Ａ１４２１がＯＦＦの状態になると、非接触ＩＣ１０２は無線通信動作が可能である。
【０１８４】
電池１０４の電圧が電圧閾値Ｖｔ１以上である場合は、電圧検出回路１４３３が「Ｈ」を出力しているため、ＳＷ−Ｃ１４２４はＣＰＵ２００７からの信号によらずＯＮに駆動される。電圧検出回路１４３３が「Ｈ」を出力している場合、非接触ＩＣ１０２は外部から電磁波及び通信を受けるとＲＦ検出信号を出力するが、ＲＦ検出信号はＲａ１４２０を介してＳＷ−Ｃ１４２４によりグラウンドに短絡される。よって、ＲＦ検出信号によりＳＷ−Ａ１４２１は駆動されず、ＳＷ−Ａ１４２１はＯＦＦになる。ＳＷ−Ａ１４２１がＯＦＦの状態になると、非接触ＩＣ１０２は無線通信動作が可能である。
【０１８５】
第４の実施形態の構成例１の動作をまとめると、下記のようになる。
【０１８６】
無線通信装置２００１本体がＯＦＦの場合は、電圧検出回路１４３３の出力によりＳＷ−Ｃ１４２４をＯＮ／ＯＦＦ制御することができる。ＳＷ−Ｃ１４２４がＯＮの場合は外部から電磁波及び通信を受けてもＳＷ−Ａ１４２１がＯＦＦであるため、非接触ＩＣ１０２の無線通信動作は有効である。ＳＷ−Ｃ１４２４がＯＦＦの場合は外部から電磁波及び通信を受けるとＳＷ−Ａ１４２１がＯＮになり、非接触ＩＣ１０２の無線通信動作は無効となる。
【０１８７】
無線通信装置２００１本体がＯＮの場合は、無線通信装置２００１は電圧検出回路１４３３とＣＰＵ２００７との信号のＯＲによりＳＷ−Ｃ１４２４をＯＮ／ＯＦＦ制御することができる。電池１０４の電圧が電圧閾値Ｖｔ１未満である場合は、ＣＰＵ２００７からの出力によりＳＷ−Ｃ１４２４をＯＮ／ＯＦＦ制御することができる。ＳＷ−Ｃ１４２４がＯＮの場合は外部から電磁波及び通信を受けてもＳＷ−Ａ１４２１がＯＦＦであるため、非接触ＩＣ１０２の無線通信動作は有効である。ＳＷ−Ｃ１４２４がＯＦＦの場合は外部から電磁波及び通信を受けるとＳＷ−Ａ１４２１がＯＮになり、非接触ＩＣ１０２の無線通信動作は無効となる。
【０１８８】
電池１０４の電圧が電圧閾値Ｖｔ１以上である場合は、電圧検出回路１４３３が「Ｈ」を出力しているため、ＳＷ−Ｃ１４２４はＣＰＵ２００７からの信号によらずＯＮに駆動される。ＳＷ−Ｃ１４２４がＯＮの場合は外部から電磁波及び通信を受けてもＳＷ−Ａ１４２１がＯＦＦであるため、非接触ＩＣ１０２の無線通信動作は有効である。
【０１８９】
以上、無線通信装置２００１本体がＯＦＦの場合とＯＮの場合それぞれについて、非接触ＩＣ１０２の無線通信の使用可否の切り替え制御を説明した。
【０１９０】
図２１は、第４の実施形態に係る無線通信装置２００１の非接触ＩＣ１０２の周辺回路の状態と非接触ＩＣ１０２の無線通信動作に関する真理値表である。以下の説明では、非接触ＩＣ１０２の無線通信動作を有効とすることを「ＥＮＡＢＬＥ」、無効とすることを「ＤＩＳＡＢＬＥ」と記載する場合がある。
【０１９１】
電源ＩＣ−Ｂ１０６の動作最低電圧がＶｂ１、電圧検出回路１４３３の電圧閾値がＶｔ１、Ｖｂ１＜Ｖｔ１であるとする。電池１０４の電池電圧Ｖｂａｔｔが０≦Ｖｂａｔｔ＜Ｖｂ１である場合は、電源ＩＣ−Ｂ１０６が動作できないため、ＣＰＵ２００７はＯＦＦである。そして、電圧検出回路１４３３の出力は「Ｌ」である。ＣＰＵ２００７がＯＦＦであり電圧検出回路１４３３の出力が「Ｌ」であると、非接触ＩＣ１０２の無線通信動作は「ＤＩＳＡＢＬＥ」のみである。
【０１９２】
電池１０４の電池電圧ＶｂａｔｔがＶｂ１≦Ｖｂａｔｔ＜Ｖｔ１である場合は、電源ＩＣ−Ｂ１０６が動作可能なため、ＣＰＵ２００７はＯＮ／ＯＦＦどちらの状態もとり得る。そして、電圧検出回路１４３３の出力は「Ｌ」である。ＣＰＵ２００７がＯＦＦであると、非接触ＩＣ１０２の無線通信動作は「ＤＩＳＡＢＬＥ」である。ＣＰＵ２００７がＯＮであると、ＣＰＵ２００７の制御により非接触ＩＣ１０２の無線通信動作は「ＤＩＳＡＢＬＥ」／「ＥＮＡＢＬＥ」どちらの動作も選択可能である。
【０１９３】
電池１０４の電池電圧ＶｂａｔｔがＶｔ１≦Ｖｂａｔｔである場合は、電源ＩＣ−Ｂ１０６が動作可能なため、ＣＰＵ２００７はＯＮ／ＯＦＦどちらの状態もとり得る。そして、電圧検出回路１４３３の出力は「Ｈ」である。非接触ＩＣ１０２の動作は電圧検出回路１４３３とＣＰＵ２００７との信号のＯＲによって決定するため、非接触ＩＣ１０２の無線通信動作は「ＥＮＡＢＬＥ」である。
【０１９４】
図２２は、第４の実施形態に係る無線通信装置２００１の非接触ＩＣ１０２の制御手順を示すフローチャートである。本フローチャートの各ステップの処理は、特に断らない限り、ＣＰＵ２００７により実行される。図２２において、図１と同一又は同様の処理が行われるステップには同一の符号を付し、説明を省略する。
【０１９５】
Ｓ１０３において非接触ＩＣ１０２の無線通信動作が可能でないモードと判定された場合、Ｓ４０１で、ＣＰＵ２００７は、出力１を「Ｌ」に制御してＳＷ−Ｃ１４２４をＯＦＦにすることにより、非接触ＩＣ１０２を「ＤＩＳＡＢＬＥ」にする。
【０１９６】
Ｓ１０３において非接触ＩＣ１０２の無線通信動作が可能なモードと判定された場合、Ｓ４０２で、ＣＰＵ２００７は、出力１を「Ｈ」に制御してＳＷ−Ｃ１４２４をＯＮにすることにより、非接触ＩＣ１０２を「ＥＮＡＢＬＥ」にする。
【０１９７】
なお、Ｓ４０１及びＳ４０２において、Ｖｔ１≦Ｖｂａｔｔである場合は、出力１の状態に関わらずＳＷ−Ｃ１４２４はＯＮになるため、ＣＰＵ２００７の制御に関わらず非接触ＩＣ１０２は「ＥＮＡＢＬＥ」になる。
【０１９８】
また、本実施形態では、図２２の処理とは独立して、ＣＰＵ２００７がＯＦＦの場合であっても、電圧検出回路１４３３の出力状態によって、非接触ＩＣ１０２の無線通信動作は「ＤＩＳＡＢＬＥ」／「ＥＮＡＢＬＥ」どちらの動作も選択可能である。
【０１９９】
●第４の実施形態の構成例２
図２３は、第４の実施形態に係る無線通信装置２３０１の非接触ＩＣ５０２の周辺回路の構成例２を示すブロック図である。図２３において、図２０の構成例１と同一又は同様の構成要素には同一の符号を付す。また、第３の実施形態の構成例２（図１７）と同一又は同様の構成要素には同一の符号を付す。以下、主に構成例１との相違点について説明する。
【０２００】
非接触ＩＣ５０２が外部から電磁波を受けるとアンテナ１０３に電流が発生し、電流はダイオード５２６で整流される。整流された電流は、Ｒａ１４２０を介してＳＷ−Ａ１４２１を駆動し、ＳＷ−Ａ１４２１はＯＮになる。ＣＬ５２７は容量であり、ＳＷ−Ａ１４２１の駆動を補償するために配置されている。ＳＷ−Ａ１４２１はＲＬ１４２２を介して非接触ＩＣ５０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０２０１】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ５０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ５０２内部の無線通信負荷変調に用いる負荷が接続されている側のアンテナ端子であることが望ましい。
【０２０２】
図２３の構成例２と図２０の構成例１とは、ＳＷ−Ａ１４２１、ＳＷ−Ｃ１４２４、及び電圧検出回路１４３３を有する点は同じである。従って、構成例２においても、ＣＰＵ２００７の制御及び電圧検出回路１４３３の出力状態により非接触ＩＣ５０２の無線通信動作として「ＤＩＳＡＢＬＥ」／「ＥＮＡＢＬＥ」を選択可能である。また、図２１の真理値表及び図２２のフローチャートは、構成例２にも適用可能である。
【０２０３】
●第４の実施形態の構成例３
図２４は、第４の実施形態に係る無線通信装置２４０１の非接触ＩＣ６０２の周辺回路の構成例３を示すブロック図である。図２４において、図２０の構成例１と同一又は同様の構成要素には同一の符号を付す。また、第３の実施形態の構成例３（図１８）と同一又は同様の構成要素には同一の符号を付す。以下、主に構成例１との相違点について説明する。
【０２０４】
非接触ＩＣ６０２は、外部から電磁波及び通信を受けるとＶＤＤ端子に電圧を出力する。ＶＤＤ端子に出力した電圧による信号は、Ｒａ１４２０を介してＳＷ−Ａ１４２１を駆動し、ＳＷ−Ａ１４２１はＯＮになる。ＳＷ−Ａ１４２１は、ＲＬ１４２２を介して非接触ＩＣ６０２のアンテナ１０３に接続しており、ＳＷ−Ａ１４２１がＯＮであれば、アンテナ１０３はＲＬ１４２２及びＳＷ−Ａ１４２１を介してグラウンドに短絡される。
【０２０５】
アンテナ１０３がグラウンドに短絡されると、外部からの電磁波によりアンテナ１０３に発生していた電流がグラウンド側に流れる。アンテナ１０３に発生していた電流がグラウンド側に流れることで、非接触ＩＣ６０２における無線通信のための変復調が妨害されると共に、無線通信動作に必要な電力が維持できなくなり、無線通信動作が停止するに至る。無線通信のための変復調の妨害を確実にするために、ＲＬ１４２２及びＳＷ−Ａ１４２１を接続してアンテナ１０３の電流を引き抜く先は、非接触ＩＣ６０２内部の無線通信負荷変調に用いる負荷が接続されている側のアンテナ端子であることが望ましい。
【０２０６】
図２４の構成例３と図２０の構成例１とは、ＳＷ−Ａ１４２１、ＳＷ−Ｃ１４２４、及び電圧検出回路１４３３を有する点は同じである。従って、構成例３においても、ＣＰＵ２００７の制御及び電圧検出回路１４３３の出力状態により非接触ＩＣ６０２の無線通信動作として「ＤＩＳＡＢＬＥ」／「ＥＮＡＢＬＥ」を選択可能である。また、図２１の真理値表及び図２２のフローチャートは、構成例３にも適用可能である。
【０２０７】
●第４の実施形態の構成例４
図２５は、第４の実施形態に係る無線通信装置２５０１の非接触ＩＣ６０２の周辺回路の構成例４を示すブロック図である。図２５において、図２０の構成例１と同一又は同様の構成要素には同一の符号を付す。また、第３の実施形態の構成例４（図１９）と同一又は同様の構成要素には同一の符号を付す。以下、主に構成例１との相違点について説明する。
【０２０８】
非接触ＩＣ６０２が外部から電磁波及び通信を受けるとアンテナ１０３に電流が発生し、電流はダイオード７２６で整流される。整流された電流は、Ｒａ１４２０を介してＳＷ−Ａ１４２１を駆動し、ＳＷ−Ａ１４２１はＯＮになる。ＣＬ７２７は容量であり、ＳＷ−Ａ１４２１の駆動を補償するために配置されている。ＳＷ−Ａ１４２１は、ＲＬ１４２２を介して非接触ＩＣ６０２のＶＤＤ端子に接続しており、ＳＷ−Ａ１４２１がＯＮであれば、非接触ＩＣ６０２のＶＤＤ端子はＲＬ１４２２及びＳＷ−Ａ１４２１を介してグラウンドに短絡される。
【０２０９】
非接触ＩＣ６０２のＶＤＤ端子がグラウンドに短絡されると、外部からの電磁波により非接触ＩＣ６０２のＶＤＤ端子に無線通信動作に必要な電圧を蓄積することができなくなり、無線通信動作に必要な電力が維持できず、無線通信動作が停止するに至る。
【０２１０】
図２５の構成例４と図２０の構成例１とは、ＳＷ−Ａ１４２１、ＳＷ−Ｃ１４２４、及び電圧検出回路１４３３を有する点は同じである。従って、構成例４においても、ＣＰＵ２００７の制御及び電圧検出回路１４３３の出力状態により非接触ＩＣ６０２の無線通信動作として「ＤＩＳＡＢＬＥ」／「ＥＮＡＢＬＥ」を選択可能である。また、図２１の真理値表及び図２２のフローチャートは、構成例４にも適用可能である。
【０２１１】
以上、第４の実施形態の４つの構成例について説明した。第４の実施形態の構成を一般化して説明すると、次のようになる。非接触ＩＣ及びその周辺回路は、外部から電磁波及び通信を受けた場合にその電磁波及び通信をトリガとして非接触ＩＣの無線通信動作を無効化するような、クローズドループ回路を構成する。そして、周辺回路は、そのクローズドループ回路を解除する構成を更に備える。第４の実施形態では、クローズドループ回路の解除の有無は、ＣＰＵの出力及び電圧検出回路の出力により制御される。
【０２１２】
［その他の実施形態］
第１から第４の実施形態では、ＳＷ−Ａ、ＳＷ−Ｂ、ＳＷ−Ｃ、及びＳＷ−ＤはＮＰＮトランジスタ又はＮｃｈＭＯＳＦＥＴを用いる構成として説明した。しかしながら、第１から第４の実施形態に適用可能なスイッチは、ＮＰＮトランジスタ又はＮｃｈＭＯＳＦＥＴに限ったものでない。例えば、ＰＮＰトランジスタ又はＰｃｈＭＯＳＦＥＴであっても第１から第４の実施形態に適用可能である。ＳＷ−Ａ、ＳＷ−Ｂ、ＳＷ−Ｃ、及びＳＷ−Ｄの全て又はいずれかがＰＮＰトランジスタ又はＰｃｈＭＯＳＦＥＴである場合、駆動する信号の論理とスイッチのハイサイド、ローサイドの関係を入れ替えればよい。要は、ＳＷ−Ａ、ＳＷ−Ｂ、ＳＷ−Ｃ、及びＳＷ−Ｄは、スイッチＯＮ時に導通状態になり、ＯＦＦ時に高インピーダンス状態となる素子であれば何でもよい。
【０２１３】
また、第１から第４の実施形態では、非接触ＩＣの無線通信は国際標準規格であるＩＳＯ／ＩＥＣ２１４８１に対応しているものとして説明した。しかしながら、第１から第４の実施形態に適用可能な非接触ＩＣの無線通信規格は、ＩＳＯ／ＩＥＣ２１４８１に限ったものでない。外部からの電磁波を電力として動作する非接触ＩＣであればどのような規格であっても適用可能である。電磁波の周波数で説明すると、ＩＳＯ／ＩＥＣ２１４８１の１３．５６ＭＨｚでなくても、ＩＳＯ／ＩＥＣ１８０００の各パートの周波数ｋＨｚ帯〜ＧＨｚ帯であっても、第１から第４の実施形態に適用可能である。
【０２１４】
また、本発明は、第１から第４の実施形態において説明した特定の実施形態に限られるものではなく、第１から第４の実施形態の周辺回路及び制御方法を適宜組み合わせてもよい。いかなる形態であれ、非接触ＩＣ及びその周辺回路は、外部から電磁波及び通信を受けた場合にその電磁波及び通信をトリガとして非接触ＩＣの無線通信動作を無効化するようなクローズドループ回路を構成する。そして、周辺回路は、そのクローズドループ回路を解除する構成を更に備える。よって、第１から第４の実施形態の周辺回路及び制御方法を組み合わせる場合は、クローズドループ回路を解除する構成として、ＣＰＵの出力、状態保持回路の出力、及び電圧検出回路の出力の一部又は全部をＯＲ又はＡＮＤで適宜組み合わせればよい。
【０２１５】
なお、これまでに説明した外部からの電磁波及び通信をトリガとして非接触ＩＣの無線通信動作を無効化するようなクローズドループ回路と、そのクローズドループ回路を解除する構成は、前述の実施形態に限られるものではない。クローズドループ回路は、外部からの電磁波及び通信をトリガとして非接触ＩＣの無線通信動作を無効化するような構成であれば何でよい。また、クローズドループ回路を解除する構成は、クローズドループ回路を解除できる構成であれば何でもよい。
【０２１６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015173538.tif 000003
【図２】
2015173538.tif 000004
【図３】
2015173538.tif 000005
【図４】
2015173538.tif 000006
【図５】
2015173538.tif 000007
【図６】
2015173538.tif 000008
【図７】
2015173538.tif 000009
【図８】
2015173538.tif 000010
【図９】
2015173538.tif 000011
【図１０】
2015173538.tif 000012
【図１１】
2015173538.tif 000013
【図１２】
2015173538.tif 000014
【図１３】
2015173538.tif 000015
【図１４】
2015173538.tif 000016
【図１５】
2015173538.tif 000017
【図１６】
2015173538.tif 000018
【図１７】
2015173538.tif 000019
【図１８】
2015173538.tif 000020
【図１９】
2015173538.tif 000021
【図２０】
2015173538.tif 000022
【図２１】
2015173538.tif 000023
【図２２】
2015173538.tif 000024
【図２３】
2015173538.tif 000025
【図２４】
2015173538.tif 000026
【図２５】
2015173538.tif 000027
【図２６】
2015173538.tif 000028